(57)【特許請求の範囲】
【請求項１】
上方に立ち上がる周辺部及び該周辺部に連続する底辺部を有する植木鉢用の蓋部において、該蓋部の本体部は、透水性を有する壁部材及び該壁部材の外面を覆う通気性を有する不透水性の薄層部を備え、該通気性を有し不透水性の薄層部の内側に、外側吸水性紙層部、５ｍｍ以下の粒度の繊維状の廃木材の解繊粒子を主として含有する廃木材粉砕物及び前記廃木材粉砕物より少量の吸水性樹脂を含有する混合物層、内側吸水性紙層部及び内面を形成する透水性の薄層部を備えていることを特徴とする植木鉢用の蓋。
【請求項２】
上方に立ち上がる周辺部及び該周辺部に連続する底辺部を有する植木鉢用の蓋部において、該蓋部の本体部は、通気性を有する不透水性の外側薄層部及び内面を形成する透水性の薄層部を備え、前記通気性を有し不透水性を有する外側薄層部の内側に位置する外側吸水性紙層部と、前記外側吸水性紙層部の内側に、５ｍｍ以下の粒度の繊維状の廃木材の解繊粒子を主として含有する廃木材粉砕物及び前記廃木材粉砕物より少量の吸水性樹脂を含有する外側混合物層部と、前記内面を形成する透水性の薄層部の内側に、内側吸水性紙層部と、前記内側吸水性紙層部の内側に、５ｍｍ以下の粒度の繊維状の廃木材の解繊粒子を主として含有する廃木材粉砕物及び前記廃木材粉砕物より少量の吸水性樹脂を含有する内側混合物層部と、内側混合層部と外側混合層部の間に設けられている中間吸水性紙層部とを備えていることを特徴とする植木鉢用の蓋。
【請求項３】
吸水性樹脂は、紙おむつ廃材粉砕物、乳パッド廃材粉砕物、尿パッド廃材粉砕物、生理用ナプキン廃材粉砕物若しくは吸収性繊維廃材粉砕物に含まれる吸水性樹脂又は該吸水性樹脂の混合物、又は紙おむつ廃材粉砕物、乳パッド廃材粉砕物、尿パッド廃材粉砕物若しくは生理用ナプキン廃材粉砕物又はこれら廃材粉砕物の混合物の濃縮された吸水性樹脂若しくは前記濃縮された吸水性樹脂の二以上の混合物、又は前記廃材粉砕物に含まれる吸水性樹脂の一以上と前記濃縮された吸水性樹脂の一以上の混合物であることを特徴とする請求項１又は２に記載の植木鉢用の蓋。
【請求項４】
吸水性樹脂が、吸水性混合層部に対して５重量パーセント未満の含有率、１０重量パーセント以下の含有率、２０重量パーセント以下若しくは３０重量パーセント以下の含有率で、該吸水性混合層部に含有されていることを特徴とする請求項１又は２に記載の植木鉢用の蓋。
【請求項５】
壁部材の吸水性混合層部を形成する混合物が、５ｍｍ以下の粒度の繊維状の廃木材粒子を主として含有する廃木材粉砕物と、５ｍｍ以下の粒度に粉砕されたプラスチック廃材粒子を主として含有し、該廃木材粉砕物より少ない量のプラスチック廃材粉砕物と、廃木材粉砕物の量より少ない量で含有するより少量の吸水性樹脂とを含むプラスチック廃材粉砕物含有の混合物であることを特徴とする請求項１又は２に記載の植木鉢用の蓋。
【請求項６】
吸水性紙層部が、レーヨン紙、薄葉紙又は複合紙で形成されている紙層部であることを特徴とする請求項１又は２に記載の植木鉢用の蓋。
【請求項７】
プラスチック廃材粉砕物が、５ｍｍ以下の粒度で厚さが２ｍｍ以下の合成樹脂繊維廃材粉砕物、紐状合成樹脂廃材粉砕物、フィルム若しくはシート状の合成樹脂廃材粉砕物、紐状合成ゴム廃材粉砕物、フィルム若しくはシート状の合成ゴム廃材粉砕物又はプラスチックフィルム廃材粉砕物、又は紙おむつ廃材、乳パッド廃材、尿パッド廃材、生理用ナプキン廃材、プラスチック材料製不織布廃材、吸水性繊維若しくはラミネート紙廃材の粉砕物又はそれら二以上の前記廃材の粉砕物の混合物、又は前記前記紙おむつ廃材粉砕物、乳パッド廃材粉砕物、尿パッド廃材粉砕物、生理用ナプキン廃材粉砕物若しくはプラスチック材料製不織布廃材粉砕物若しくはこれら廃材粉砕物の混合物の分離処理により濃縮されたプラスチック材料を含む分離産物若しくはこれら分離産物の二以上の混合物、又は前記一以上の廃材の粉砕物と前記一以上の分離産物の混合物であることを特徴とする請求項１又は２に記載の植木鉢用の蓋。
【請求項８】
透水性薄層部は、乾式法による不織布又は湿式法による不織布であることを特徴とする請求項１又は２に記載の植木鉢用の蓋。
【発明の詳細な説明】
【０００１】
【産業上の利用分野】
本発明は、植木鉢用の蓋に関し、特に、例えば、外形が、おもと、東洋蘭鉢形状、プラスチック鉢形状、ビニルポット形状若しくはプラ鉢形状等の瀬戸鉢又はプラスチック鉢又は深鉢、中深鉢、浅鉢その他素焼き鉢、駄温鉢又は山草鉢等の朱泥鉢、瀬戸鉢又は平鉢などその他市販の植木鉢及び箱形の植木鉢を含む植木鉢用の蓋に関する。また、本発明は，植木鉢の壁が、植木鉢内の用土に含まれる水分の一部を保持することにより、植木鉢からの用土中の水分の蒸発を緩和し、また、植木鉢内に保持する水分を放出して、植木鉢の用土中の水分を調整することができる植木鉢に関する。さらに、本発明は、吸水性及び／又は保水性を有する廃木材粉砕物、プラスチック廃材粉砕物及び吸水性樹脂、特に高吸水性樹脂を素材として形成された植木鉢壁が、植木鉢内の用土に含まれる水分の一部を保持でき、また、植木鉢壁内に保持する水分を植木鉢の用土中に放出して、植木鉢の用土中の水分を調整することができる機能を有する植木鉢に関する。
さらに、本発明は、吸水紙等により形成される吸水性紙層部間に、設けられる吸水性層部が設けられている植木鉢に関し、特に、前記吸水性層部が、吸水性及び／又は保水性を有する廃木材粉砕物、プラスチック廃材粉砕物及び吸水性樹脂、特に高吸水性樹脂を素材として形成されている植木鉢及びその蓋、特に、組み立て可能の植木鉢及びその蓋に関する。
さらにまた、本発明は、植木鉢の壁が、水を透過させないが、通気性を有する植木鉢及びその蓋に関し、特に、本発明は、植木鉢の壁本体部の外面が、通気性を有する、不透水性の薄層部材で覆われている素焼き製その他透水性を有する植木鉢及びその蓋に関する。さらに本発明は、吸水性及び／又は保水性を有する廃木材、プラスチック廃材及び高吸水性樹脂等の吸水性樹脂、を素材とする植木鉢及びその蓋に関する。さらに加えて、本発明は、内面が透水性の薄層部材で覆われ、外面が、通気性を有する、不透水性の薄層部材で覆われている、吸水性及び／又は保水性を有する廃木材粉砕物、プラスチック廃材粉砕物及び高吸水性樹脂等の吸水性樹脂を素材とする植木鉢及びその蓋に関する。
また本発明は、空気透過性及び水不透過性の分解性若しくは生分解性プラスチックフィルムにより被覆された植木鉢及びその蓋に関する。
【０００２】
【従来の技術】
従来、植木鉢は、例えば、外形が、おもと、東洋蘭鉢形状、プラスチック鉢形状、ビニルポット形状若しくはプラ鉢形状等の瀬戸鉢又はプラスチック鉢、又は深鉢、中深鉢、浅鉢その他素焼き鉢、駄温鉢又は山草鉢等の朱泥鉢、瀬戸鉢又は平鉢、皿鉢などの植木鉢が市販され、植物の育成及び商用に使用されており、素焼き、陶器及びプラスチック材料などで作られている。植木鉢を使用して植物を育成させる場合、植木鉢内に適量の鉢用土を入れて、該用土内に植生する植物を植え、適度の日照、温度及び湿度を与えて植物を生育させる。植木鉢に使用される鉢用土は、水はけ、水持ち及び通気性がよく、その上に、与えられた肥料をよく保持でき、また清潔なものが良いとされる。
【０００３】
【発明が解決しようとする課題】
しかし、素焼き製の植木鉢は、焼き締まっていないために、比較的多孔質であり、壁体が透水性及び通気性を有するために、根腐れは少ないものの、用土中の水分が失われ易く、比較的頻繁に水やりをしないと、植木鉢中の植木が水枯れを起こし易く、比較的長時間にわたり留守にすることができず、問題とされている。また、陶磁器製の植木鉢は、焼き締まっているために、通気性及び透水性が乏しくなっており、根腐れを起こし易く、大量の水を加えることができず、問題とされている。しかも、素焼き及び陶器製の植木鉢は、比較的重く、その上、落下等の衝撃により割れ易いために、運搬に不便であり、問題とされている。これに対して、プラスチック製の植木鉢は、軽く、比較的柔軟であるために、落下等の衝撃により破損することが少ない点で、運搬に便利である。しかし、プラスチック製であるために、陶磁器製の植木鉢と同様に、壁体に通気性がなく、その分、水分が鉢の壁から外に漏出することがなく、素焼きの植木鉢に比して水持ちが良いが、用土中の水が比較的長時間に亙って植木鉢内に残留して、腐敗し易いために、植木鉢内で植物が根腐れを起こし易く、問題である。
さらに、廃木材は、建築現場等から大量に発生するが、建材製造工場においても、木材の裁断や加工の際に、おが屑、裁断屑や削り屑などとして大量に発生する。しかも、建築現場からの廃木材には、金属材料や壁紙などが混入し、その処理が問題とされている。
本発明は、従来のプラスチック製、陶器製及び素焼き製の植木鉢の水やり及び運搬等の問題点を解決すると共に、廃木材やプラスチック廃材の処理に係る問題点を解決することを目的としている。
【０００４】
【課題を解決するための手段】
本発明者は、廃木材を５ｍｍ以下の粒度に粉砕することにより、廃木材から金属材料を容易に分離でき、しかも、５ｍｍ以下の粒度で繊維化された廃木材粉砕物は、吸水性及び保水性を有しており、高吸水性樹脂等の吸水性樹脂と混合することにより、容易に成形できることを発見し、また、この成形により得られた成形物は、吸水性及び保水性を有することを発見して、本発明に至った。
また、本発明は、透水性は少ないが、通気性がよいプラスチック薄膜で、通気性及び透水性の大きい植木鉢を被覆することにより、植木鉢の本体の壁面からの水の透過及び蒸発を緩和でき、また廃木材粉砕物、プラスチック廃材粉砕物及び吸水性樹脂を使用することにより、吸水性及び保水性の良い植木鉢を廉価に作製することができる構造の植木鉢及びその蓋を提供することを目的としている。
【０００５】
即ち、本発明は、上方に立ち上がる周辺部及び該周辺部に連続する底辺部を有する植木鉢用の蓋部において、該蓋部の本体部は、透水性を有する壁部材及び該壁部材の外面を覆う通気性を有する不透水性の薄層部を備え、該通気性を有し不透水性の薄層部の内側に、外側吸水性紙層部、５ｍｍ以下の粒度の繊維状の廃木材の解繊粒子を主として含有する廃木材粉砕物及び前記廃木材粉砕物より少量の吸水性樹脂を含有する混合物層、内側吸水性紙層部及び内面を形成する透水性の薄層部を備えていることを特徴とする植木鉢用の蓋にあり、また、本発明は、上方に立ち上がる周辺部及び該周辺部に連続する底辺部を有する植木鉢用の蓋部において、該蓋部の本体部は、通気性を有する不透水性の外側薄層部及び内面を形成する透水性の薄層部を備え、前記通気性を有し不透水性を有する外側薄層部の内側に位置する外側吸水性紙層部と、前記外側吸水性紙層部の内側に、５ｍｍ以下の粒度の繊維状の廃木材の解繊粒子を主として含有する廃木材粉砕物及び前記廃木材粉砕物より少量の吸水性樹脂を含有する外側混合物層部と、前記内面を形成する透水性の薄層部の内側に、内側吸水性紙層部と、前記内側吸水性紙層部の内側に、５ｍｍ以下の粒度の繊維状の廃木材の解繊粒子を主として含有する廃木材粉砕物及び前記廃木材粉砕物より少量の吸水性樹脂を含有する内側混合物層部と、内側混合層部と外側混合層部の間に設けられている中間吸水性紙層部とを備えていることを特徴とする植木鉢用の蓋にある。
【０００６】
また、本発明は、内面を形成する第一吸水性紙層部と、外面を形成する第二吸水性紙層部と、前記第一吸水性紙層部及び第二吸水性混合層部間に設けられ、５ｍｍ以下の粒度の繊維状の廃木材粒子を主として含有する廃木材粉砕物及び該廃木材粉砕物より少量の吸水性樹脂を含む混合物により形成されている吸水性混合層部とを備えており、前記第一及び第二吸水性紙層部並びに前記吸水性混合層部が、合わせられて一体に形成された板部材により、少なくとも側部が形成されていることを特徴とする植木鉢にあり、さらに、本発明は、内面を形成する吸水性紙層部と、外面を形成し通気性を有する不透水性の薄層部と、前記吸水性紙層部及び前記通気性を有する不透水性の薄層部間にに配設され、５ｍｍ以下の粒度の繊維状の廃木材粒子を主として含有する廃木材粉砕物及び該廃木材粉砕物より少量の吸水性樹脂を含む混合物により形成されている吸水性混合層部とを備えており、前記第吸水性紙層部、前記吸水性混合層部並びに前記通気性を有する不透水性の薄層部が、合わせられて一体となっている板部材により少なくとも側部が形成されていることを特徴とする植木鉢にあり、さらにまた、本発明は、内面を形成する第一吸水性紙層部と、外面を形成し通気性を有する不透水性の薄層部と、前記通気性を有する不透水性の薄層部に接して配置される第二吸水性紙層部と、前記第一吸水性紙層部と第二吸水性紙層部の間に配設され、５ｍｍ以下の粒度の繊維状の廃木材粒子を主として含有する廃木材粉砕物及び該廃木材粉砕物より少量の吸水性樹脂を含む混合物により形成されている吸水性混合層部とを備えており、前記第一及び第二の吸水性紙層部、前記吸水性混合層部並びに前記通気性を有する不透水性の薄層部が、合わせられて一体となっている板部材により少なくとも側部が形成されていることを特徴とする植木鉢にある。
【０００７】
また、本発明は、内面を形成する透水性の薄層部と、外面を形成し、通気性を有する不透水性の薄層部と、前記透水性の薄層部に接して位置する吸水性紙層部と、前記吸水性紙層部と前記通気性を有する不透水性の薄層部の間に配設され、５ｍｍ以下の粒度の繊維状の廃木材粒子を主として含有する廃木材粉砕物及び該廃木材粉砕物より少量の吸水性樹脂を含む混合物により形成されている吸水性混合層部とを備えており、前記透水性の薄層部、前記吸水性紙層部、前記吸水性混合層部及び前記通気性を有する、不透水性の薄層部が、合わせられて一体となっている板部材により少なくとも側部が形成されていることを特徴とする植木鉢にあり、さらに本発明は、内面を形成する透水性の薄層部と、外面を形成し、通気性を有する不透水性の薄層部と、前記透水性の薄層部に接して位置する第一吸水性紙層部と、前記通気性を有する、不透水性の薄層部に接して配置される第二吸水性紙層部と、前記第一吸水性紙層部と第二吸水性紙層部の間に配設され、５ｍｍ以下の粒度の繊維状の廃木材粒子を主として含有する廃木材粉砕物及び該廃木材粉砕物より少量の吸水性樹脂を含む混合物により形成されている吸水性混合層部とを備えており、前記透水性の薄層部、前記第一及び第二の吸水性紙層部、前記吸水性混合層部及び前記通気性を有する不透水性の薄層部が、合わせられて一体となっている板部材により少なくとも側部が形成されていることを特徴とする植木鉢にある。
本発明において、植木鉢の本体を構成する板部材の吸水性混合層部を形成する混合物は、５ｍｍ以下の粒度の繊維状の廃木材粒子を主として含有する廃木材粉砕物と、５ｍｍ以下の粒度に粉砕されたプラスチック廃材粒子を主として含有し、該廃木材粉砕物より少ない量のプラスチック廃材粉砕物と、廃木材粉砕物の量より少ない量で含有するより少量の吸水性樹脂とを含むプラスチック廃材粉砕物含有の混合物であることができる。
【０００８】
そしてさらに本発明は、内面を形成する第一吸水性紙層部と、外面を形成する第二吸水性紙層部と、前記第一紙層部に接して設けられ、５ｍｍ以下の粒度の繊維状の廃木材粒子を主として含有する廃木材粉砕物及び前記廃木材粉砕物より少量の吸水性樹脂を含む第一混合物により形成されている第一吸水性混合層部と、前記第二紙層部に接して設けられ、５ｍｍ以下の粒度の繊維状の廃木材粒子を主として含有する廃木材粉砕物及び前記廃木材粉砕物より少量の吸水性樹脂を含む第二混合物により形成されている第二吸水性混合層部と、前記第一吸水性混合層部と前記第二吸水性混合層部の間に配設される中間吸水紙層部とを備えており、前記第一及び第二吸水性紙層部、中間吸水性紙層部並びに前記第一及び第二吸水性混合層部が、合わせられて一体となっている板部材により、少なくとも側部が形成されていることを特徴とする植木鉢にあり、また本発明は、内面を形成する第一吸水性紙層部と、外面を形成し、通気性を有する不透水性の薄層部と、前記通気性を有する不透水性の薄層部に接して配置される第二吸水性紙層部と、前記第一紙層部に接して設けられ、５ｍｍ以下の粒度の繊維状の廃木材粒子を主として含有する廃木材粉砕物及び前記廃木材粉砕物より少量の吸水性樹脂を含む第一混合物により形成されている第一吸水性混合層部と、前記第二紙層部に接して設けられ、５ｍｍ以下の粒度の繊維状の廃木材粒子を主として含有する廃木材粉砕物及び前記廃木材粉砕物より少量の吸水性樹脂を含む第二混合物により形成されている第二吸水性混合層部と、前記第一吸水性混合層部と前記第二吸水性混合層部の間に配設される中間吸水紙層部とを備えており、前記第一及び第二吸水性紙層部、中間吸水性紙層部、前記第一及び第二吸水性混合層部並びに前記通気性を有する不透水性の薄層部が、合わせられて一体となっている板部材により、少なくとも側部が形成されていることを特徴とする植木鉢にあり、さらにまた、本発明は、内面を形成する吸水性紙層部と、外面を形成し、通気性を有する不透水性の薄層部と、前記吸水性紙層部に接して設けられ、５ｍｍ以下の粒度の繊維状の廃木材粒子を主として含有する廃木材粉砕物、前記廃木材粉砕物より少量の吸水性樹脂を含む第一混合物により形成されている第一吸水性混合層部と、通気性を有する不透水性の薄層部に接して設けられ、５ｍｍ以下の粒度の繊維状の廃木材粒子を主として含有する廃木材粉砕物及び前記廃木材粉砕物より少量の吸水性樹脂を含む第二混合物により形成されている第二吸水性混合層部と、前記第一吸水性混合層部と前記第二吸水性混合層部の間に配設される中間吸水紙層部とを備えており、前記吸水性紙層部、中間吸水性紙層部、前記第一及び第二吸水性混合層部並びに前記通気性を有する不透水性の薄層部が、合わせられて一体となっている板部材により、少なくとも側部が形成されていることを特徴とする植木鉢にあり、さらに加えて、本発明は、本発明は、内面を形成する透水性の薄層部と、外面を形成し、通気性を有する不透水性の薄層部と、前記透水性薄層部に接して配設されている第一吸水性紙層部と、前記通気性を有する不透水性の薄層部に接して配設されている第二吸水性紙層部と、前記第一吸水性紙層部に接して配設されて、５ｍｍ以下の粒度の繊維状の廃木材粒子を主として含有する廃木材粉砕物及び該廃木材粉砕物より少量の吸水性樹脂を含む第一混合物により形成されている第一吸水性混合層部と、前記第二吸水性紙層部に接して配設され、５ｍｍ以下の粒度の繊維状の廃木材粒子を主として含有する廃木材粉砕物及び該廃木材粉砕物より少量の吸水性樹脂を含む第二混合物により形成されている第二吸水性混合層部と、第一吸水性混合層部と第二吸水性混合層部間に配設されている中間吸水性紙層部を備えており、前記透水性の薄層部、前記第一及び第二吸水性紙層部、中間吸水性紙層部、前記第一及び第二吸水性混合層部並びに前記通気性を有する、不透水性の薄層部が、合わせられて一体となっている板部材により、少なくとも側部が形成されていることを特徴とする植木鉢にあり、そしてまた、本発明は、内面を形成する透水性の薄層部と、外面を形成し、通気性を有する不透水性の薄層部と、前記透水性薄層部に接して配設されている吸水性紙層部と、前記吸水性紙層部に接して配設され、５ｍｍ以下の粒度の繊維状の廃木材粒子を主として含有する廃木材粉砕物及び該廃木材粉砕物より少量の吸水性樹脂を含む第一混合物により形成されている第一吸水性混合層部と、前記通気性を有する不透水性の薄層部に接して配設され、５ｍｍ以下の粒度の繊維状の廃木材粒子を主として含有する廃木材粉砕物及び該廃木材粉砕物より少量の吸水性樹脂を含む第二混合物により形成されている第二吸水性混合層部と、第一吸水性混合層部と第二吸水性混合層部間に配設されている中間吸水性紙層部を備えており、前記透水性の薄層部、前記吸水性紙層部、中間吸水性紙層部、前記第一及び第二吸水性混合層部並びに前記通気性を有する不透水性の薄層部が、合わせられて一体となっている板部材により、少なくとも側部が形成されていることを特徴とする植木鉢にある。
【０００９】
そして、本発明の植木鉢の本体を構成する板部材の第一吸水性混合層部を形成する第一混合物は、５ｍｍ以下の粒度の繊維状の廃木材粒子を主として含有する廃木材粉砕物と、５ｍｍ以下の粒度に粉砕されたプラスチック廃材粒子を主として含有し、該廃木材粉砕物より少ない量のプラスチック廃材粉砕物と、廃木材粉砕物の量より少ない量で含有するより少量の吸水性樹脂とを含む混合物であるとすることができ、また、本発明の植木鉢の本体を構成する板部材の第二吸水性混合層部を形成する第二混合物が、５ｍｍ以下の粒度の繊維状の廃木材粒子を主として含有する廃木材粉砕物と、５ｍｍ以下の粒度に粉砕されたプラスチック廃材粒子を主として含有し、該廃木材粉砕物より少ない量のプラスチック廃材粉砕物と、廃木材粉砕物の量より少ない量で含有するより少量の吸水性樹脂とを含む混合物であるとすることができる。さらに、本発明の植木鉢を構成する板部材の第一吸水性混合層部を形成する第一混合物及び該板部材の第二吸水性混合層部を形成する第二混合物が、５ｍｍ以下の粒度の繊維状の廃木材粒子を主として含有する廃木材粉砕物と、５ｍｍ以下の粒度に粉砕されたプラスチック廃材粒子を主として含有し、該廃木材粉砕物より少ない量のプラスチック廃材粉砕物と、廃木材粉砕物の量より少ない量で含有するより少量の吸水性樹脂とを含む混合物であるとすることができる。さらにまた、本発明は、本発明の植木鉢と、前記植木鉢の上端部に接する上方に立ち上がる周辺部及び該周辺部に連続する底辺部を有する蓋本体部とを備えており、該蓋本体部は、透水性を有する壁部材及び該壁部材の外面を覆う通気性を有する不透水性の薄層部を備え、該通気性を有し不透水性を有する薄層部の内側に、外側吸水性紙層部、５ｍｍ以下の粒度の繊維状の廃木材粒子に解繊して、５ｍｍ以下の粒度の繊維状の廃木材粒子を主として含有する廃木材粉砕物及び前記廃木材粉砕物より少量の吸水性樹脂を含有する混合物層、内側吸水性紙層部及び内面を形成する透水性の薄層部を備えていることを特徴とする蓋付き植木鉢にあり、さらに加えて、本発明は、本発明の植木鉢と、前記植木鉢の上端部に接する上方に立ち上がる周辺部及び該周辺部に連続する底辺部を有する蓋本体部とを備えており、蓋本体部は、通気性を有する不透水性の外側薄層部及び内面を形成する透水性の薄層部を備え、前記通気性を有し不透水性を有する薄層部の内側に位置する外側吸水性紙層部と、前記外側吸水性紙層部の内側に５ｍｍ以下の粒度の繊維状の廃木材粒子に解繊して、５ｍｍ以下の粒度の繊維状の廃木材粒子を主として含有する廃木材粉砕物及び前記廃木材粉砕物より少量の吸水性樹脂を含有する外側混合物層部と、前記内面を形成する透水性の薄層部の内側に、内側吸水性紙層部と、前記内側吸水性紙層部の内側に５ｍｍ以下の粒度の繊維状の廃木材粒子に解繊して、５ｍｍ以下の粒度の繊維状の廃木材粒子を主として含有する廃木材粉砕物及び前記廃木材粉砕物より少量の吸水性樹脂を含有する内側混合物層部と、内側混合層部と外側混合層部の間に設けられている中間吸水性紙層部とを備えていることを特徴とする蓋付き植木鉢にある。
【００１０】
そしてまた、本発明は、廃木材粒子を、５ｍｍ以下の粒度の繊維状の廃木材粒子に解繊して、５ｍｍ以下の粒度の繊維状の廃木材粒子を主として含有する廃木材粉砕物を形成し、この形成された廃木材粉砕物に、前記廃木材粉砕物より少量の吸水性樹脂を混合して、この吸水性混合物を形成し、この吸水性混合物を薄層状の第一の吸水紙の上に層状に載置し、この載置された吸水性混合物層の上に薄層状の第二の吸水紙を載置して、前記第一の吸水紙層、吸水性混合物層及び第二の吸水紙層が重ねられた重層物を形成し、この重層物を一体に加圧成形して、板状体を形成し、該板状体を裁断し、この裁断された板状体を組み立てることにより植木鉢を形成することを特徴とする植木鉢の製造方法にあり、さらに、本発明は、廃木材粒子を、５ｍｍ以下の粒度の繊維状の廃木材粒子に解繊して、５ｍｍ以下の粒度の繊維状の廃木材粒子を主として含有する廃木材粉砕物を形成し、この形成された廃木材粉砕物に、５ｍｍ以下の粒度のプラスチック廃材粉砕物粒子を主として含有する、前記廃木材粉砕物より少量のプラスチック廃材粉砕物及び前記プラスチック廃材粉砕物より少量の吸水性樹脂を混合し、この吸水性混合物を、薄層状の第一の吸水紙の上に層状に載置し、この載置された吸水性混合物層の上に薄層状の第二の吸水紙を載置して、前記第一の吸水紙層、吸水性混合物層及び第二の吸水紙層が重ねられた重層物を形成し、この重層物を一体に加圧成形して、板状体を形成し、該板状体を裁断し、この裁断された板状体を組み立てることにより植木鉢を形成することを特徴とする植木鉢の製造方法にあり、さらにまた、本発明は、廃木材粒子を、５ｍｍ以下の粒度の繊維状の廃木材粒子に解繊して、５ｍｍ以下の粒度の繊維状の廃木材粒子を主として含有する廃木材粉砕物を形成し、この形成された廃木材粉砕物に、該廃木材粉砕物より少量の吸水性樹脂を混合し、この吸水性混合物の一部を、薄層状の第一の吸水紙の上に層状に載置し、この載置された第一の吸水性混合物層の上に薄層状の中間吸水紙を載置し、該中間吸水紙層の上に、前記吸水性混合物の一部を層状に載置し、この載置された第二の吸水性混合物層の上に薄層状の第二吸水紙を載置して、前記第一の吸水紙層、第一の吸水性混合物層、中間吸水紙層、第二の吸水性混合物層及び第二の吸水紙層が重ねられた重層物を形成し、この重層物を一体に加圧成形して、板状体を形成し、該板状体を裁断し、この裁断された板状体を組み立てることにより植木鉢を形成することを特徴とする植木鉢の製造方法にあり、さらに加えて。廃木材粒子を、５ｍｍ以下の粒度の繊維状の廃木材粒子に解繊して、５ｍｍ以下の粒度の繊維状の廃木材粒子を主として含有する廃木材粉砕物を形成し、この形成された廃木材粉砕物に、５ｍｍ以下の粒度のプラスチック廃材粉砕物粒子を主として含有する、前記廃木材粉砕物より少量のプラスチック廃材粉砕物及びプラスチック廃材粉砕物より少量の吸水性樹脂を混合し、この混合物の一部を、層状の第一の吸水紙の上に層状に載置し、この載置された第一の混合物層の上に薄層状の中間吸水紙を載置し、該中間吸水紙層の上に、前記混合物の一部を層状に載置し、この載置された第二の混合物層の上に薄層状の第二吸水紙を載置して、前記第一の吸水紙層、第一の混合物層、中間吸水紙層、第二の混合物層及び第二の吸水紙層が重ねられた重層物を形成し、該重層物を一体に加圧成形して、板状体を形成し、該板状体を裁断し、この裁断された板状体を組み立てることにより植木鉢を形成することを特徴とする植木鉢の製造方法にある。
【００１１】
【発明の実施の形態】
本発明において、植木鉢は、育苗用、鑑賞用及びその他用途の植木鉢として使用することができる。
本発明の植木鉢は、その植木鉢本体の壁からの水分の蒸発を極力避けて、空気の通過ができるように、植木鉢本体の壁の外面は、空気の透過性を有するが、水を透過しない薄膜、例えば、空気透過性の、殊に、酸素透過性の良いプラスチック薄膜で覆われる。
本発明において、植木鉢本体には、市販の素焼きの植木鉢があり、その他に、箱やカップ等の種々の形状とすることができる。本発明において、市販の素焼きの植木鉢の外面に、前記空気の透過性を有するが、水を透過しない薄膜を被着することにより、素焼きの植木鉢の外面からの水分の逸失を少なくすると共に、植木鉢内に空気を侵入させて、植木鉢内の水の腐敗を避けるようにすることができる。
本発明の植木鉢は、本発明の植木鉢の上端部から用土の表面に接するように、植木鉢の内側に窪んだ断面形状を有する蓋部材を取り付けることができる。蓋部材は、植木鉢の本体部と同様の構造を有する素材で形成することができ、植木鉢の上端部に被せて、植木鉢からの水分の蒸発を極力抑制するものである。蓋部材は、中央部に植物の茎を通す穴が形成されており、植物を保護するために、少なくとも二分されて形成される。分割された蓋部材の中央部には、合わせたときに栽培又は植生される植物の茎を通すことができる穴が形成されるように窪みが設けられている。本発明において、蓋部材は、本発明の植木鉢と同様の植木鉢用の板部材で、形成することができる。
【００１２】
本発明において、植木鉢は、例えば、外形が、おもと、東洋蘭鉢形状、プラスチック鉢形状、ビニルポット形状若しくはプラ鉢形状等の瀬戸鉢又はプラスチック鉢又は深鉢、中深鉢、浅鉢その他素焼き鉢、駄温鉢又は山草鉢等の朱泥鉢、瀬戸鉢又は平鉢などその他市販の植木鉢及び箱形の植木鉢を含む植木鉢の形状の植木鉢を意味する。本発明において、鉢本体は、植木鉢の形状に応じて、種々の製法で製造することができる。しかし、本発明においては、植木鉢を嵩張ることなく収納できるようにするために、組立て可能な形状を有する、各種厚さの、即ち薄手及び厚手のシート状の板部材に形成することができる。この場合、組立て可能な形状に形成されている板部材の糊代部に、熱硬化型接着剤、ホットメルト接着剤又は感圧型接着剤等の接着剤或いは粘着型の両面テープ等の接着剤を介して、組立て時に接着可能に形成することができる。例えば、両面テープを使用した板部材の場合には、板部材は、折り目を付けて又は折り目を付けずに湾曲状に折曲げ可能の側板部と、該側板部の下端部から連続し、折り目を付けて折曲げ可能に形成されている底板部を備えて形成され、前記側板部は、その側方端部に連続して両面テープの一つの粘着面を付着されている接続片部が形成され、底板部は、その下端部に連続して両面テープの一つの粘着面を付着されている接続片部が形成されている板部材は、折り目により複数の部分に分けられている側板部と、該側板部の下端部に折り目を介して連続する底板部を備えて形成されている。本発明の植木鉢は、板部材の側壁部を折り目に沿って折曲げ、又は側壁部を湾曲させて、側板部の接続片部の両面テープの剥離剤層を取り去って現れた粘着面を該側板部の反対側の端部に粘着し、底板部を折り目に沿って折り曲げて、底板部の接続片部の剥離剤層を取り去って現れた粘着面を、相対する底板部に粘着して、植木鉢状の箱を組み立てることができる。本発明において、植木鉢を成形法により形成する場合には、５ｍｍ以下の粒度の繊維状の廃木材粒子を主として含有する廃木材粉砕物及び該廃木材粉砕物より少量の吸水性樹脂を含み、さらに該混合物の保有する水分又は僅かに添加された水分を含む混合物を、目的の植木鉢の形状に加圧成形し、この加圧形成された植木鉢形状の成形体の内側面及び外側面に吸水紙層を形成して，植木鉢を形成することが出来る。
【００１３】
本発明において、植木鉢の壁本体の外側表面には、手で持ち運びができるように、取っ手部を形成することができる。この場合、取っ手部は、例えば、植木鉢の、通気性の不透水性薄層部で形成されている壁本体の外周面を囲んで、又は前記壁本体の外面に直接固定して取り付けることができる。
本発明において、植木鉢を形成する板部材は、吸水紙で形成され、内面を形成する第一吸水性紙層部及び同様に吸水紙で形成され、外面を形成する第二吸水性紙層部を備え、前記第一及び第二吸水性紙層部間に、５ｍｍ以下の粒度の繊維状の廃木材粒子を主として含有する廃木材粉砕物及び該廃木材粉砕物より少量の吸水性樹脂を含む混合物で形成された吸水性混合層部を備え、前記第一及び第二吸水性紙層部並びに前記吸水性混合層部が重ね合わされた重層物が、一体に加圧成形されて形成されている。この場合において、前記吸水性混合層部は、５ｍｍ以下の粒度の繊維状の廃木材粒子を主として含有する廃木材粉砕物及び該廃木材粉砕物より少量の吸水性樹脂を含む混合物に代えて、５ｍｍ以下の粒度の繊維状の廃木材粒子を主として含有する廃木材粉砕物と、５ｍｍ以下の粒度のプラスチック廃材粒子を主として含有するプラスチック廃材粉砕物と、該プラスチック廃材粉砕物より少量の吸水性樹脂とを含む混合物で形成することができる。
【００１４】
また、本発明において、植木鉢を形成する板部材は、吸水紙で形成され、内面を形成する第一吸水性紙層部と、同様に吸水紙で形成され、外面を形成する第二吸水性紙層部を備え、さらに、前記第一及び第二吸水性紙層部の間に、また同様に、吸水紙で形成された中間吸水性紙層部を備えて形成することができる。この場合、前記第一吸水性紙層部及び中間吸水性紙層部の間には、第一吸水性混合層部が設けられ、この第一吸水性混合層部は、５ｍｍ以下の粒度の繊維状の廃木材粒子を主として含有する廃木材粉砕物及び該廃木材粉砕物より少量の吸水性樹脂を含む混合物で形成することができる。そして、この場合においても、前記第一吸水性混合層部は、５ｍｍ以下の粒度の繊維状の廃木材粒子を主として含有する廃木材粉砕物及び該廃木材粉砕物より少量の吸水性樹脂を含む混合物に代えて、５ｍｍ以下の粒度の繊維状の廃木材粒子を主として含有する廃木材粉砕物と、５ｍｍ以下の粒度のプラスチック廃材粒子を主として含有するプラスチック廃材粉砕物と、該プラスチック廃材粉砕物より少量の吸水性樹脂とを含む混合物で形成することができる。また、前記中間吸水性紙層部及び第二吸水性紙層部間には、第二吸水性混合層部が設けられ、前記第二吸水性混合層部は、５ｍｍ以下の粒度の繊維状の廃木材粒子を主として含有する廃木材粉砕物及び該廃木材粉砕物より少量の吸水性樹脂を含む混合物により形成されるが、この場合においても、前記第二吸水性混合層部は、５ｍｍ以下の粒度の繊維状の廃木材粒子を主として含有する廃木材粉砕物及び該廃木材粉砕物より少量の吸水性樹脂を含む混合物に代えて、５ｍｍ以下の粒度の繊維状の廃木材粒子を主として含有する廃木材粉砕物と、５ｍｍ以下の粒度のプラスチック廃材粒子を主として含有するプラスチック廃材粉砕物と、該プラスチック廃材粉砕物より少量の吸水性樹脂とを含む混合物で形成することができる。
【００１５】
本発明において、吸水性混合層部並びに第一及び第二吸水性混合層部を形成する吸収性混合物には、５ｍｍ以下の粒度の繊維状の廃木材粒子を主として含有する廃木材粉砕物が使用される。本発明において、廃木材粉砕物の繊維状の廃木材粒子は、比較的細長い形状の廃木材粒子であり、廃木材粒子の幅又は径に対し長さが５倍以上で、細長く、また好ましくは、廃木材粒子の幅又は径に対し長さが７倍以上で、細長く、且つ端部が比較的先細の形状に形成されている細長い粒子である。
本発明においては、５ｍｍ以下の粒度の繊維状の廃木材粒子を主として含有する繊維化された廃木材粉砕物は、廃木材を５ｍｍ以下の粒度に粉砕し、解繊機等により解繊して作られる。５ｍｍ以下の粒度の繊維状の廃木材粒子を主として含有する繊維化された廃木材粉砕物は、これに吸水性樹脂のみを加えて加圧成形することにより、又は吸水性樹脂及び水を配合して、加圧成形することにより簡単に板状体又は植木鉢の形状に形成することができる。例えば、吸水性樹脂の使用量が５重量％の場合であっても、プラスチック廃材粉砕物をかなりの量で、例えば４７重量％以下の量で混合して、簡単に加圧成形により板状体を得ることができる。
【００１６】
本発明は、前記繊維化された廃木材粉砕物は、成形性に優れ、プラスチック廃材粉砕物を可成の量で配合しても、吸水性樹脂を配合するだけで、又は吸水性樹脂及び水を配合するだけで、簡単に加圧成形により板状体とすることができることを発見したことに基づいている。従来では、おが屑等の木材粉は、吸水性樹脂及び水と混合しただけでは、加圧成形により安定した形状で板状体に成形することが難しいために、パルプや糊料等の接着を助ける材料の配合を必要としていたが、本発明においては、廃木材を５ｍｍ以下の粒度に粉砕し、繊維化して、５ｍｍ以下の粒度を有する繊維状の廃木材粒子を主として含有する繊維化された廃木材粉砕物とするので、吸水性樹脂と混合して、安定した形状の板状体に成形することができる。しかも、前記繊維化された廃木材粉砕物は、僅かに湿り気を与えることにより、例えば水を５重量％以下、好ましくは４乃至２重量％の量の湿り気により、繊維化された廃木材粉砕物及びプラスチック粉砕物に吸水性樹脂が馴染み易くなり、さらに成形が容易となるので好ましい。繊維化された廃木材粉砕物の粒度は、細かい方が好ましく、例えば３ｍｍ以下の粒度、さらに好ましくは１ｍｍ以下の粒度とするのが、吸水性混合層部の感触及び加圧成形の上で好ましい。
【００１７】
本発明において、廃木材の用語は、木材、建築現場から排出される木材の廃材、並びに取り壊された建造物、家屋及び木造家屋から排出される木材の廃材を意味する。しかし、一般の木材は、高価であり、コスト的に使用することは難しいが、目的に応じては、廃木材に代えて使用することができる。さらに、本発明において、廃木材の用語は、針葉樹、広葉樹、常緑樹及び落葉樹並びに竹の廃材を意味する。
本発明において、廃木材には、金属は出来る限り除去されるのが好ましい。しかし、金属が１ｍｍ以下の粒度に粉砕されている金属粉砕物である場合は、吸水性混合層部の５重量％以下、好ましくは１重量％以下の量で含有されていてもよい。
本発明において、吸水性樹脂の用語は、高級水性樹脂の他に、高級水性樹脂に比して吸水能力が低い吸水性樹脂をも意味する。また、本発明において、プラスチック廃材の用語は、プラスチック物質を含む廃材の他にプラスチック物質を含む材料を意味する。
【００１８】
本発明において、５ｍｍ以下の粒度の繊維状の廃木材粒子を含む繊維化された廃木材粉砕物に、該廃木材粉砕物より少量の５ｍｍ以下の粒度に粉砕されたプラスチック廃材粉砕物の混合は、植木鉢の保水性及び弾力性を増加させ、また熱圧着により板部材を成形することを可能にさせるので好ましい。本発明において、５ｍｍ以下の粒度の繊維状の廃木材粒子を含む繊維化された廃木材粉砕物及び５ｍｍ以下の粒度に粉砕されたプラスチック廃材粉砕物の混合物中のプラスチック廃材粉砕物の混合割合は、４７重量％以下であるが、繊維化された廃木材粉砕物の混合割合が大きくなるほど、植木鉢は吸水性に優れたものとなるので好ましい。繊維化された廃木材粉砕物の混合割合は、例えば、５３重量％以上、好ましくは７０重量％以上、さらに好ましくは、８０重量％以上であるのが好ましい。
【００１９】
本発明においては、植木鉢の吸水速度を大きくするために、植木鉢の内部及び外部は、吸水紙により作製された吸水性紙層部により形成される。この吸水性紙層部は、その吸水速度を大きくするために、一以上のティッシュペーパー、レーヨン紙又は複合紙等の薄葉紙を、一枚づつ合わせて若しくは貼り合わせて形成され、又は予め合わせて一体にされた複数の薄葉紙により形成された吸水紙から形成することができる。薄葉紙の枚数を多くすると、吸収体の吸水速度を大きくすることができる。即ち吸水紙の坪量が大きいほど吸水性に優れるので好ましい。しかし、坪量が大きい吸水紙の使用は、費用的にまた適度な吸水性を有する吸水紙を選択するのが好ましい。坪量は１０ｇ／ｍ2乃至１８ｇ／ｍ2とすることができる。この場合、薄葉紙については、水に濡れて発色する発色剤又はｐＨ発色剤等の水と反応して発色する着色性物質を付着させることができる。吸水紙としては、薄葉紙と化学繊維紙を貼り合わせ加工した吸収性を有する複合紙を使用することができる。本発明においては、植木鉢の吸水能力を大きくするために、透水性の薄層部及び通気性の不透水性の薄層部を設けない場合において、板部材の内面側及び外面側は、共に、吸水性紙層部により形成することができる。吸水紙としては、薄葉紙と化学繊維紙を貼り合わせ加工した吸収性を有する複合紙を使用することができる。
【００２０】
内面を透水性の薄層部で形成し、外面を通気性を有する、不透水性の薄層部で形成した植木鉢の板部材においても、前記第一及び第二吸水性紙層部間に吸水性混合層部を設けることができ、また、前記第一及び第二吸水性紙層部間に中間吸水性紙層部を設けることができる。そして、この板部材においても、前記第一吸水性紙層部及び中間吸水性紙層部の間に第一吸水性混合層部を設けることができ、中間吸水性紙層部と第二吸水性紙層部の間に、第二吸水性混合層部を設けることができる。これらの板部材において、吸水性混合層部並びに第一及び第二吸水性混合層部は、共に、５ｍｍ以下の粒度の繊維状の廃木材粒子を含む繊維化された廃木材粉砕物及び該廃木材粉砕物より少量の吸水性樹脂の混合物、又は５ｍｍ以下の粒度の繊維状の廃木材粒子を含む繊維化された廃木材粉砕物、５ｍｍ以下の粒度に粉砕され、廃木材粉砕物より少量のプラスチック廃材粉砕物及びプラスチック廃材粉砕物より少量の吸水性樹脂の混合物で作ることができる。
【００２１】
植木鉢の本体部を形成する板部材は、前記第一及び第二吸水性紙層部並びに吸水性混合層部が、合わせられた重層物を一体に加圧成形して形成することができ、前記第一及び第二吸水性紙層部、中間吸水性紙層部並びに第一及び第二吸水性混合層部が、合わせられた重層物を一体に加圧成形して形成することができる。一つの吸水性混合層部を有する板部材は、例えば、１乃至７ｍｍの厚さ、好ましくは、２乃至５ｍｍの厚さに形成することができ、二つの吸水性混合層部を有する板部材は、１．５乃至１０ｍｍ、好ましくは３乃至７ｍｍの厚さに形成することができる。本発明において、板部材は、エンボス又はクレープ加工を施すことができる。
【００２２】
本発明においては、植木鉢の板部材の保水能力を大きくするために、前記内面側の第一吸水性紙層部及び外面側の第二吸水性紙層部間に、５ｍｍ以下の粒度の繊維状の廃木材粒子を含有する繊維化された廃木材粉砕物及び該廃木材粉砕物より少量の吸水性樹脂を含む混合物、又は５ｍｍ以下の粒度の繊維状の廃木材粒子を含有する繊維化された廃木材粉砕物、５ｍｍ以下の粒度に粉砕され、廃木材粉砕物より少量のプラスチック廃材粉砕物及びプラスチック廃材粉砕物より少量の吸水性樹脂を含む混合物で作製された吸水性混合層部が設けられる。本発明においては、植木鉢の板部材の保水能力を大きくするために、前記内面側の第一吸水性紙層部及び該第一吸水性紙層部に接して第一吸水性混合層部が設けられ、外面側の第二吸水性紙層部に接して第二吸水性混合層部が設けられ、第一及び第二吸水性混合層部間に、中間吸水性紙層部を設けられる。この場合においても、第一及び第二吸水性混合層部は、５ｍｍ以下の粒度の繊維状の廃木材粒子を含有する繊維化された廃木材粉砕物及び該廃木材粉砕物より少量の吸水性樹脂を含む混合物、又は５ｍｍ以下の粒度の繊維状の廃木材粒子を含有する繊維化された廃木材粉砕物、５ｍｍ以下の粒度に粉砕され、廃木材粉砕物より少量のプラスチック廃材粉砕物及びプラスチック廃材粉砕物より少量の吸水性樹脂を含む混合物で作製される。この場合、中間吸水性紙層部は、前記内面側及び外面側の吸水性紙層部と同様に、少なくとも一枚の吸水性に優れる薄葉紙で形成することができるが、吸水性を増加させるために、複数の薄葉紙を、一枚づつ合わせて又は貼り合わせて形成することができ、また、予め合わせて一体にされた複数の薄葉紙により形成することができる。また、前記第一及び第二吸水性混合層部は、互いに同じ組成とすることができ、また互いに異なる組成とすることもできる。
【００２３】
本発明において、植木鉢に臭気等の除去機能をもたせるときは、吸水性混合層部に、チタン紙廃材粉砕物、アルミナ紙廃材粉砕物、チタン酸カリウム紙廃材粉砕物又はアルミナシリカ紙廃材粉砕物などの不良無機繊維紙粉砕物又は無機繊維紙廃材粉砕物或いは前記不良無機繊維紙粉砕物又は無機繊維紙廃材粉砕物の二種以上の粉砕物を配合することができる。さらに本発明においては、植木鉢に臭気等の除去機能を持たせるために、前記、不良無機繊維紙粉砕物及び／又は無機繊維廃材粉砕物に加えて、タルク、ゼオライト又はベントナイト等の無機質の吸着剤を配合することができる。植木鉢に防虫機能をもたせるときは、吸水性混合層部に、防虫剤又は殺虫剤を配合することができる。
【００２４】
本発明においては、植木鉢は、内側の第一吸水性紙層部の破損を避けるために、該第一吸水性紙層部の面上を覆って透水性の薄層部を設けることができる。この透水性の薄層部としては、水透過の程度に応じた大きさの孔を有する多孔膜、例えば、ポリプロピレン、ポリエチレン、ナイロン若しくはビニロン等のプラスチック繊維製の不織布又はポリエチレンフィルム、ポリプロピレンフィルム、塩化ビニル樹脂フィルム等のプラスチックフィルム製の多孔膜を使用することができ、又は水透過の程度に応じた透水機能を有する湿式又は乾式の不織布とすることができる。本発明において、透水性の薄層部を設けて植木鉢の内面を形成する場合には、底部に形成される水抜き用の孔を覆って設けると、透水性の薄層部が虫よけ機能を有するので、虫よけ用の網を水抜き用の孔を覆って設ける必要がなくなる。
【００２５】
本発明において、植木鉢を形成する板部材は、前記第二吸水性紙層部の破損を避けるために、前記第二吸水性紙層部の面上を覆って、透水性の薄層部を設けることができ、さらに、前記第二吸水性紙層部の面上を覆って、通気性を有する、不透水性の薄層部が形成することができる。この場合、前記透水性の薄層部は植木鉢の内面を形成し、前記通気性を有する不透水性の薄層部は、植木鉢の外面を形成する。この植木鉢においても、板部材は、第一吸水性紙層部及び第二吸水性紙層部の間には、プラスチック廃材粉砕物、紙廃材粉砕物及び吸水性樹脂を含む吸水性混合層部が設けられ、前記透水性の薄層部、前記第一及び第二の吸水性紙層部、前記吸水性混合層部及び前記通気性を有する、不透水性の薄層部は、合わせられて一体に形成することができる。
本発明において、外側の第二吸水性紙層部の破損及び植木鉢の乾燥を防止すると共に、酸素等の気体を侵入させて植物の根腐れを防止できるようにするために、外面側に、通気性を有する、不透水性の薄層を設けることができる。通気性を有し且つ不透水性の薄層部には、酸素ガスの透過係数が、１×１０10（ｃｃ・ｃｍ／ｃｍ2・ｓｅｃ・ｃｍＨｇ）以上であるフィルムが好ましく、このようなフィルムとしては、ポリエチレン樹脂フィルム、ポリスチレンフィルム、セルロースアセテートフィルム、ポリカーボネートフィルム、及び天然ゴム製フィルム等のゴム系フィルムなどがある。
【００２６】
本発明において、植木鉢の板部材の吸水性混合層部にプラスチック廃材を配合すると、植木鉢の保水性及び熱圧着性を増加できるので好ましい。プラスチック廃材としては、一般に廃棄される例えば厚さ２ｍｍ以下の合成樹脂繊維廃材、紐状合成樹脂廃材、フィルム又はシート状合成樹脂廃材、紐状合成ゴム廃材、フィルム又はシート状合成ゴム廃材、ラミネート紙廃材、吸水性繊維廃材及びプラスチックフィルム廃材がある。一般にプラスチック廃材は、５ｍｍ以下、好ましくは３ｍｍ以下に粉砕すると、保水機能が増大するので好ましい。プラスチック廃材粉砕物は、前記のプラスチック廃材の粉砕物の他に、５ｍｍ以下、好ましくは３ｍｍ以下に粉砕された紙おむつ廃材粉砕物、乳パッド廃材粉砕物、尿パッド廃材粉砕物又は生理用ナプキン廃材粉砕物或いは前記粉砕物の二以上の混合物を分級等により分離された分離産物の中、プラスチック物質に富む分離産物、例えば、主成分としてプラスチック物質を含有する分離産物を使用することができる。
【００２７】
本発明において、廃木材粉砕物の繊維状の廃木材粒子に界面活性剤を付着させると、該繊維化された廃木材粉砕物が、油分に富む木材の繊維化された廃材粉砕物であっても、吸水速度を増加でき、保水性を増加させることができるという発見に基づいている。また、５ｍｍ以下の粒度に粉砕されたプラスチック粒子に界面活性剤を付着させると、粉砕されたプラスチック材料粉砕物及び／又はプラスチック廃材粉砕物が、水に濡れ難い性質、即ち撥水性を有していても水に濡れ易くなり、吸水性及び保水性を増加させることとなる。
本発明において、５ｍｍ以下の粒度の繊維状の廃木材粒子を主として含む繊維化された廃木材粉砕物、該廃木材粉砕物より少量の５ｍｍ以下の粒度に粉砕されたプラスチック廃材粉砕物及びプラスチック廃材粉砕物より少量の吸水性樹脂の混合物で形成される吸水性混合層部の少なくとも一部、例え内側に、又は界面活性剤を付着させることにより、吸水性混合層部の吸水速度及び透水速度を高めることができ、板部材に吸収されないで板部材の表面に残留する水の残留時間を著しく短縮することができる。本発明において、板部材に付着させる界面活性剤の量は、吸収体１ｇ当たり、０．０５ｇ以下、好ましくは、０．００９ｇ以下とするのが好ましい。板部材に付着した界面活性剤の量が０．０５ｇより多いと、費用が嵩み、水の吸水性混合層部を通過する速度が大きくなって、水は吸水性混合層部に十分に吸収されずに吸水性混合層部を通過することとなる。水の吸水性混合層部を通過する通過速度を小さくさせて、水が吸水性混合層部に吸収されながら、不透水性層部に向けて移動させるためには、板部材への界面活性剤の付着量は、０．００９ｇ以下とするのが好ましい。
したがって、本発明において、界面活性剤を付着させた板部材を使用して植木鉢を形成したときには、吸収体の上部に配置された透水性薄層部、例えば不織布を通して植木鉢本体壁内に水が侵入して、植木鉢内の水分量を調整することができることとなるので好ましい。
そこで、本発明においては、植木鉢の内面を含め内面側に、界面活性剤を付着させて、吸収体の水の通過速度及び吸収速度を増加させ、また吸水性樹脂を混合して、吸水性混合層部の保水能力び吸水能力を補っている。本発明において使用される界面活性剤としては、ドデシルベンゼンスルホン酸ナトリウム等の陰イオン界面活性剤が好ましいが、これらの外にラウリルトリメチルアンモニウムクロライド等の陽イオン界面活性剤、オクチルフェニールエーテル等の非イオン界面活性剤などがある。
【００２８】
このような植木鉢の吸水性混合層部に使用されるプラスチック廃材粉砕物としては、例えば、衛生用品等のプラスチック物質及びパルプ物質を含有する製品の不良品の粉砕物及び該製品の製造時に発生する裁断屑等の廃材の粉砕物がある。このようなプラスチック廃材粉砕物には、例えば、紙を含む衛生用品の不良品の粉砕物及びその裁断屑の粉砕物があり、特に、不良紙おむつの粉砕物、紙おむつの裁断屑の粉砕物、不良乳パッドの粉砕物、乳パッドの裁断屑の粉砕物、不良尿パッドの粉砕物、尿パッドの裁断屑の粉砕物、不良生理用ナプキンの粉砕物、生理用ナプキンの裁断屑の粉砕物、不良ラミネート紙加工品の粉砕物又はラミネート紙の裁断屑の粉砕物など、或いはこれら粉砕物の二以上の混合物がある。また、プラスチック物質及び紙材料を含有する廃材粉砕物としては、前記のプラスチック物質及び紙廃材を含有する製品の廃材粉砕物の他に、前記プラスチック物質及びパルプ物質を含む廃材の粉砕物のプラスチック物質に富む分級処理産物等の分離処理により分離されたプラスチック物質に富む分離産物がある。このような分離産物としては、例えば不良紙おむつの粉砕物、紙おむつの裁断屑の粉砕物、不良乳パッドの粉砕物、乳パッドの裁断屑の粉砕物、不良尿パッドの粉砕物、尿パッドの裁断屑の粉砕物、不良生理用ナプキンの粉砕物、生理用ナプキンの裁断屑の粉砕物、不良ラミネート紙加工品の粉砕物又は使用済みラミネート紙廃材若しくはラミネート紙の裁断屑の粉砕物についての分級処理により分離されたプラスチック物質に富む分級産物がある。前記プラスチック物質に富む分級産物には、分離されずにプラスチック物質に随伴するパルプ物質を含むプラスチック物質に富む分級産物がある。
【００２９】
本発明においては、吸水性及び保水性を有する植木鉢を廉価に製造するために、吸水性混合層部に使用される繊維化された廃木材粉砕物の含有率を、プラスチック廃材粉砕物含有率に比して多くするのが好ましい。
本発明において、植木鉢の板部材は、上部吸水性紙層部、下部吸水性紙層部、並びに前記上部及び下部の紙層部間に設けられている繊維化された廃木材粉砕物、プラスチック廃材粉砕物及び吸水性樹脂を含む吸水性混合層部は、植木鉢の組立て体として、裁断され、エンボス及び折り目を付けて折曲げ可能な板部材に加圧成形される。本発明においては、このように折り目を付けて折曲げ可能とされた板部材は、折り目に沿って折り曲げて、端部を適宜固定することにより植木鉢を形成することができるので、植木鉢の組立て作業が行い易くなり好ましい。
本発明において、内側及び外側吸水性紙層部間に、さらに中間吸水性紙層部を配設することが出来る。このように吸水性紙層部を三層にすると、内側の第一吸水性紙層部と中間吸水性紙層部間及び外側の第二吸水性紙層部と中間吸水性紙層部間に、夫々吸水性混合層部を、内側の第一吸水性混合層部及び外側の第二吸水性混合層部を形成することができることとなり、吸水機能及び保水機能を増加させることができる。
【００３０】
本発明において、植木鉢には、内側に、透水性薄層部が形成され、外側に、通気性を有するが不透水性薄層部が設けられ、透水性薄層部に接して第一吸水性紙層部が設けられ、該第一吸水性紙層部に接して、第一吸水性混合層部が設けられ、外側の不透水性薄層部に接して第二吸水性紙層部が設けられ、第二吸水性紙層部に接して第二吸水性混合層部が設けられ、第一及び第二吸水性混合層部間に、中間吸水性紙層部が形成されているので、透水性薄層部及び不透水性薄層部を、分解性プラスチック物質又は生分解プラスチック物質製とすると、吸水性紙層部を形成する吸水紙、吸水性混合層部を主として形成する繊維化された廃木材粉砕物は、何れも土中に埋めて分解されるので、ポット等の植木鉢に植生されて草花や植木は、植木鉢ごとに地中に埋めても、植木鉢は朽ちて分解され、該植木鉢に植生されている植木や草花の根の成長を妨げることなく植生することができる。また、このような植木鉢の場合には、土中に埋めて廃棄することができることとなる。吸水性混合層部に生分解プラスチック物質含有廃材を使用すると、殆ど全部が分解することができるので好ましい。
【００３１】
防虫剤が付与された透水性材料で、植木鉢の透水性薄層部を形成すると、該植木鉢の使用中に、害虫を防除できるので好ましい。また、本発明において、内側の第一吸水性紙層部、外側の第二吸水性紙層部及び中間部の中間吸水性紙層部は、吸収紙、吸水紙又はクレープ紙等の薄葉紙で形成されるのが、良好な吸水性を確保できるので好ましい。また、本発明において、吸水紙には、パルプと化学繊維を液中に分散させ、抄紙して製造した複合紙を使用することができる。薄葉紙に例えばポリプロピレン製の化学繊維紙等の化学繊維紙を貼り合わせた吸水性又は透水性を有する複合紙を使用することができる。本発明において、吸水性紙層部は、植木鉢の内側では、前記透水性薄層部に接して、又は直接植木鉢の用土に接して、植木鉢の内側部を形成し、植木鉢の外側では、前記通気性で不透水性の薄層部に接して、又は直接外気に面する植木鉢の外側部を形成する。また、本発明においても、従来の植木鉢と同様に、植木鉢の底部には、一個以上の水抜きの穴を形成することができる。孔の大きさは、底面の機械的強度を維持する上で、小さく形成するのが好ましい。孔の形状は、角形、円形等種々の形状に形成でき、大きさは例えば、３０ｍｍ以下、好ましくは２０ｍｍ以下、更に好ましくは１０ｍｍ以下とするのが好ましい。不織布等の透水性の薄層部を設ける場合には、薄層部は防虫網として機能する。
【００３２】
本発明においては、植木鉢を形成する板部材の吸水性混合層部は、繊維化された廃木材粉砕物の含有率が、プラスチック廃材粉砕物の含有率に比して大きく設定されており、繊維化された廃木材粉砕物に吸水性樹脂又はプラスチック廃材粉砕物及び吸水性樹脂を混合して形成される。プラスチック廃材粉砕物が、乳パッド廃材粉砕物、尿パッド廃材粉砕物、又は生理用ナプキン廃材粉砕物等の衛生材料の廃材の粉砕物である場合には、これらプラスチック廃材粉砕物は、比較的高い含有率でプラスチック物質を含有するが、パルプ物質及び高吸水性樹脂も含有されているので、成形が行い易くなるために、さらに、他のプラスチック廃材粉砕物、例えば合成樹脂繊維廃材粉砕物、レーヨン繊維廃材粉砕物、ポリエチレンフィルム廃材粉粉砕物、ポリプロピレンフィルム廃材粉砕物、合成ゴム廃材粉砕物を加えて混合することができる。
また、植木鉢の板部材の吸水性混合層部を形成するプラスチック廃材として、不良品の紙おむつ、乳パッド、ヒップパッド又は生理用ナプキン等の不良品の衛生材料を使用すると、プラスチック物質、紙粉及び吸水性樹脂を含んでいるので、植木鉢の製造時に、繊維化された廃木材粉砕物に加えるプラスチック廃材粉砕物及び高吸水性樹脂の混合作業の工程数が少なくできるので、混合工程を簡単にすることができて好ましい。前記の衛生材料の製造時に発生する不良品、及び裁断時発生する裁断屑や粉塵の集塵された所謂集塵ロス等の衛生材料廃材は、プラスチック物質及び吸水性樹脂を含有するので、例えば粉砕してプラスチック廃材粉砕物及び吸水性樹脂の混合物として使用できる。これらの衛生材料製造時に発生する裁断屑又は集塵ロスは、吸水性樹脂又は高吸水性樹脂の含有量が少ないので、吸水性樹脂又は高吸水性樹脂を添加混合することが必要である。
【００３３】
本発明において、植木鉢を形成する板部材は、その内側及び外側の夫々に吸水紙等の薄葉紙により吸水性紙層部が形成される。吸水紙等の薄葉紙は、例えば、一枚の坪量が１２．５ｇ／ｍ2のティシュペーパであり、内側及び外側に夫々少なくとも一枚宛配置することができる。
本発明において、透水性とは、透水する性質を意味し、例えば、２０秒以下で水の一定量（２５ｍｌ）を２ｃｍの円内に注入したときに、その全量の水が透過するに要する時間（秒）で求められ、透過する時間の短い方が長い方より透水性に優れる。
本発明において吸水紙又はプラスチックフィルムの面には、印刷をすることにより、名称、表示、広告及び／又は使用方法等を表示することができる。印刷インクとしてｐＨチェック用のインクを用いると、乾燥とともにインクの色が薄くなるところから用土の濡れ具合及び乾燥状態の表示並びに用土のｐＨの表示を行うことができ植木の管理が容易に行うことができる。
【００３４】
本発明において、植木鉢に、保水性を保持させるために、吸水性混合層部に、高吸水性樹脂が配合される。本発明において使用される高吸水性樹脂は、水で自重の３０倍から１００倍程度の水を吸収しても、形を保持できる樹脂であるのが好ましい。このような高吸水性樹脂としては、例えば、ビニルエステルとエチレン系不飽和カルボン酸又はその誘導体との共重合体鹸化物、澱粉とアクリル酸のグラフト重合体、ポリアクリル酸の架橋物、ビニルアルコールとアクリル酸の共重合体、ポリアクリロニトリルの部分加水分解物、カルボキシメチルセルロースの架橋物、ポリエチレングリコールの架橋物、キトサンの塩又はプルランのゲルなどがある。これらは、吸水性混合層部に単独で又はこれら２種以上を混合して使用される。本発明において、吸水性混合層部に含ませる吸水性樹脂は、吸水性の高い所謂高吸水性樹脂を使用すると、その使用量を少なくできるので好ましい。
【００３５】
本発明において、植木鉢の吸水性混合層部に、プラスチック廃材、パルプ廃材及び吸水性樹脂廃材を含む不良紙おむつ廃材のみの粉砕物を使用する場合には、高吸水性樹脂は、植木鉢の１４乃至２８重量％となり、高い保水性を維持することができるので好ましい。
本発明においては、高吸水性樹脂は、例えば、紙おむつ廃材から回収された高吸水性樹脂含有物を使用することができる。このような回収された再生高吸水性樹脂は、水で吸水倍率が１０〜３０ｇ／ｇとその吸水性能は乏しいが、植木鉢ではこの程度の吸水効果で十分使用できることがわかった。使用する高吸水性樹脂の粒度は、５０乃至５００μｍであるのが好ましい。
吸水性混合層部に加える紙粉として、パンチ屑の粉砕物を使用する場合には、パンチ屑の粉砕物の粒度を小さくして、その使用量は、前記紙粉の３乃至２０重量％以下、好ましくは３乃至１０重量％以下とするのが好ましい。
本発明において、吸水性混合層部に使用されプラスチック廃材並びにパルプ廃材及び吸水性樹脂廃材は、夫々、その吸水性及び保水性を増すために、５ｍｍ以下、好ましくは３ｍｍ以下の粒度に粉砕されて使用されるのが好ましい。
本発明の植木鉢に使用する板部材において、吸水紙を内側及び外側に夫々一枚宛（吸収体の全重量の１２重量％）配置したときの板部材の組成は、吸水性樹脂の含有量が１４乃至２８重量％であり、紙廃材粉砕物（紙粉）のパルプ含有量が４０重量％以下であり、板部材におけるプラスチック廃材粉砕物の含有量は５０重量％以下であるのが好ましい。
【００３６】
【作用】
本発明において、植木鉢は、内面を形成する第一吸水性紙層部と、外面を形成する第二吸水性紙層部と、前記第一及び第二吸水性紙層部間に配設され、５ｍｍ以下の粒度の繊維状の廃木材粒子を主として含有する廃木材粉砕物及び廃木材粉砕物より少量の吸水性樹脂を含む吸水性混合層部、又は５ｍｍ以下の粒度の繊維状の廃木材粒子を主として含有する廃木材粉砕物、５ｍｍ以下の粒度のプラスチック廃材粒子を主として含有する前記廃木材粉砕物より少量のプラスチック廃材粉砕物及び該プラスチック廃材粉砕物より少量の吸水性樹脂を含む吸水性混合層部とを備えており、また該植木鉢は、前記第一及び第二吸水性紙層部並びに前記吸水性混合層部が、合わせられた重層物を一体に成形して形成された板部材により、側部及び底部が形成されるので、植木鉢に植生された植物に十分に潅水したときの用土に含まれる過剰の水を、植木鉢の壁体の吸水紙や吸水性混合層部に吸収保持させて、植木鉢内の水分の量を調整し、用土中の水分が蒸発等により含水率が低くなったときに、植木鉢の壁本体に含まれる水は該壁本体から用土中に放出されて、植木鉢の植物を潅漑して該植物が枯れるのを防止することができる。
【００３７】
また、本発明において、植木鉢は、内面を形成する第一吸水性紙層部と、外面を形成する第二吸水性紙層部と、前記第一及び第二吸水性紙層部間に配設されている中間吸水性紙層部と、前記第一吸水性紙層部及び中間吸水性紙層部の間及び前記第二吸水性紙層部及び中間吸水性紙層部の間に配設されて、５ｍｍ以下の粒度の繊維状の廃木材粒子を主として含有する廃木材粉砕物、５ｍｍ以下の粒度のプラスチック廃材粒子を主として含有する前記廃木材粉砕物より少量のプラスチック廃材粉砕物及び該プラスチック廃材粉砕物より少量の吸水性樹脂を含む吸水性混合層部とを備えており、前記第一、第二及び中間吸水性紙層部、並びに前記第一及び第二吸水性混合層部が、合わせられた重層物を一体に成形して形成された板部材により、側部及び底部が形成されるので、吸水性混合層部が二層に形成され、吸水性混合物ガ一層の植木鉢に比して、成形された植木鉢の形状を安定させることができ、また、吸水量及び保水量を増大させることができ、吸水性混合層部が一層の植木鉢と同様に、潅水時に過剰に加えられた水が、前記吸水性混合層部に吸収されて保水され、例えば暑い時や、乾燥している時などおいて、用土の水の蒸発が盛んとなって、用土中の水分が著しく低下したときに、吸水性混合層部から放出されて、植木鉢の用土の水分を高めることができ、植木鉢に植えられている植物を潅漑することができる。
【００３８】
本発明においては、植木鉢の板部材の前記吸水性混合層部並びに第一及び第二吸水性紙層部が、５ｍｍ以下の粒度の繊維状の廃木材粒子を主として含む繊維化された廃木材粉砕物、該廃木材粉砕物より少量の吸水性樹脂を含む混合物、又は５ｍｍ以下の粒度の繊維状の廃木材粒子を主として含む繊維化された廃木材粉砕物、該廃木材粉砕物より少量の５ｍｍ以下の粒度に粉砕されたプラスチック廃材粉砕物及び該プラスチック廃材粉砕物より少量の吸水性樹脂を含む混合物で形成されているので、保水能力及び吸水能力を大きい植木鉢を、廃木材及びプラスチック廃材を活用して安価に提供することができる。本発明において、吸収体に臭気等の除去機能をもたせるときは、吸水性混合層部に、チタン紙廃材粉砕物、アルミナ紙廃材粉砕物、チタン酸カリウム紙廃材粉砕物又はアルミナシリカ紙廃材粉砕物などの無機繊維紙廃材粉砕物或いは前記無機繊維紙廃材粉砕物の二種以上の粉砕物を配合することができ、廃材の有効利用となる。
【００３９】
本発明において、前記上部及び下部の吸水性紙層部間には、中間吸水性紙層部を設けることができる。このように、中間吸水性紙層部を設けると、前記第一及び第二吸水性混合層部を中間吸水性紙層部の上下に形成できることとなり、植木鉢の吸水性を増加させることができる。
本発明においては、吸水性紙層部は、複数の薄葉紙を、一枚づつ合わせて又は貼り合わせて形成することができ、また、予め合わせて一体にされた複数の薄葉紙により形成することができる。薄葉紙を設けることにより、植木鉢の吸水性能を大きくでき、さらに、例えば、水のｐＨ発色剤等の水と反応して発色する発色剤等の着色性物質を薄葉紙に付着さることにより、例えば、液体のｐＨの検出や液に濡れた状態を発色剤等の着色性物質により着色されて表示することができる。
【００４０】
【実施例】
以下、本発明の実施の態様の例を説明するが、本発明は、以下の説明及び例示によって何等制限されるものではない。
図１は、本発明の植木鉢の一実施例を示す植木鉢用板部材についての概略の展開図である。図２は、本発明の植木鉢の他の一実施例を示す植木鉢用板部材についての概略の展開図である。図３は、本発明の植木鉢のさらに他の一実施例を示す植木鉢用板部材についての概略の展開図である。図４は、本発明の植木鉢の更に他の一実施例を示す植木鉢用板部材についての概略の展開図である。図５は、図４とは異なる本発明の植木鉢の更に他の一実施例を示す植木鉢用板部材についての概略の展開図である。図６は、図１乃至図５に示す本発明の植木鉢用板部材についての概略の側面断面図である。図７は、図６に示す断面構造を有する本発明の植木鉢用板部材についての製造工程図である。図８は、図１乃至図５に示す本発明の実施例についての、図６の植木鉢用板部材とは異なる断面構造の植木鉢用板部材の概略の側面断面図である。図９は、図１乃至図５に示す本発明の実施例についての、図６及び図８の植木鉢用板部材とは異なる断面構造の植木鉢用板部材の概略の側面断面図である。図１０は、図１乃至図５に示す本発明の実施例についての、図６、図８及び図９の植木鉢用板部材とは異なる植木鉢用板部材の断面構造の他の一例を示す概略の側面断面図である。図１１は、図１乃至図５に示す本発明の実施例についての、図６、図８、図９及び図１０に示す植木鉢用板部材とは異なる断面構造の植木鉢用板部材の概略の側面断面図である。図１２は、図１１に示す断面構造を有する本発明の植木鉢用板部材の製造工程図である。図１乃至図１２において対応する箇所には同一の符号が付されている。
【００４１】
例１
図１に示す実施例において、植木鉢は底面が長方形に形成されており、その組立て部材１は、底部が差込み形式に形成されており、不透水性及び通気性を有するポリエチレンフィルムで外側全体が覆われており、側壁部２及び底壁部３は、共に不透水性であるが、吸水性及び保水性を有し、さらに空気透過性、特に酸素透過性に形成されている。
前記側壁部２においては、端部から、例えば２ｃｍ程度内側の箇所に側壁部第一折線４が形成されており、該側壁部第一折線４に沿って折曲げられて、側壁部糊代片５が形成されている。また側壁部２には、前記側壁部第一折線４に対して短辺側の長さの間隔で側壁部第二折線６が形成されており、該側壁部第二折線６に沿って折曲げられて、短辺側を形成する側壁部第一側部７が形成されている。さらに前記側壁部２には、前記側壁部第二折線６に対して長辺側の間隔で側壁部第三折線８が形成されており、該側壁部第三折線８に沿って折曲げられて、長辺側を形成する側壁部第二側部９が形成されており、さらにまた前記側壁部２には、前記側壁部第三折線８に対して、前記短辺側の長さの間隔で側壁部第四折線１０が形成されており、該側壁部第四折線１０に沿って折曲げられて、短辺側を形成する側壁部第三側部１１及び長辺側を形成する側壁部第四側部１２が形成されている。本例において、側壁部第四側部１２の開放側端部１３は前記側壁部糊代片５とホットメルト接着剤を介して接着可能である。
【００４２】
また底壁部３においては、短辺側の側壁部第一側部７の下端部の底壁部第一折線１４に沿って折曲げられて、長辺側の側壁部第二側部の長辺側長さの１／２より短い長さで突き出る底壁部第一糊代片１５が形成され、また短辺側の側壁部第三側部１１の下端部の底壁部第三折線１６に沿って折曲げられて、側壁部第二側部の短辺側の長さの１／２より短い長さで突き出る底壁部第二糊代片１７が形成されており、さらにまた側壁部第二側部９の下端部の底壁部第二折線１８に沿って折曲げられて、側壁部第一側部の短辺側の長さに略等しい短辺側の長さを有する底壁部片１９が形成されている。底壁部片１９には、さらにその下端部に、下端部の折線２０に沿って折曲げられて形成された底壁部差込み片２１が設けられている。底壁部第一糊代片１５は底壁部片１９の側部２２にホットメルト接着剤を介して接着可能であり、底壁部第二糊代片１７は底壁部片１９の側部２３にホットメルト接着剤を介して接着可能であり、底壁部差込み片２１は側壁部第四側部１２の下端部２４にホットメルト接着剤を介して接着可能である。本例においては、底壁部片１９には、水抜き用の孔２５が形成されている。本例の植木鉢の組立て部材の各糊代片を対応する接着箇所に接着して、植木鉢を形成することができる。
【００４３】
本例の植木鉢１は以上のように構成されているので、例えば、側壁部第一折線４、側壁部第二折線６、側壁部第三折線８及び側壁部第四折線１０の順に、各折線に沿って折曲げて、側壁部第一側部７、側壁部第二側部９、側壁部第三側部１１及び側壁部第四側部１２を形成し、側壁部糊代片５を対応する側壁部第四側部１２の端部１３にホットメルト接着させる。短辺側の底壁部第一折線１４に沿って折り曲げられて形成された底壁部第一糊代片１５及び短辺側の底壁部第三折線１６に沿って折り曲げられて形成された底壁部第二糊代片１７の上に、長辺側の底壁部第二折線１８に沿って折り曲げられて形成された底壁部片１９を重ねて、底壁部片１９の両側部を夫々対応する底壁部糊代片１５及び１７にホットメルト接着させ、底壁部差込み片２１を側壁部第四側部の下部の内側又は外側にホットメルト接着させて植木鉢を形成する。
本例による植木鉢１については、植木鉢の底壁部片１９の水抜き孔２５の上に虫除けの網（図示されていない）を載せ、その上に鉢用土を入れて植物栽培用の植木鉢とする。本例の植木鉢においては、側壁部２及び底壁部３は、共に、ポリエチレンフィルムで覆われており、不透水性であるが、吸水性及び保水性を有し、且つ酸素透過性であるので、植木鉢１に植物を植えて十分に水やりをしても、鉢用土中の水は植木鉢の側壁部２及び底壁部３に吸水されて、保水される。したがって、本例の植木鉢１では、鉢用土中の水は、植木鉢１の側壁部２及び底壁部３に吸水されて、保水された状態に保たれ、一部は植木鉢１の上部から蒸発して減少する。しかし蒸発により失われた鉢用土中の水は、植木鉢１の側壁部２及び底壁部３に保水されている水分により補われて、鉢用土中の水分は著しく減少することに至らず、水やりを比較的長期間、例えば３日間停止しても、水枯れを生じることにはなかった。植木鉢の鉢用土中にかなりの多量の水が存在しても、側壁部２が酸素透過性であるので、水中に空気中の酸素が吸収されて酸素が存在するので、植物の根が根腐れを起こすことはなかった。
本例においては、底壁部片１９の底壁部差込み片２１は、糊代片として使用されており、このようにすると、底壁部差込み片２１は、例えば、ホットメルト又は糊等の接着剤を塗布又は付着して、側壁部第四側部１２の下部の内側又は外側に、例えばホットメルト接着させて、底壁部片１９を確りと接着剤により固定して植木鉢を形成できるようにされているが、接着剤を塗布又は付着させないで、つまり接着剤を使用しないで、底壁部差込み片２１を、側壁部第四側部１２下端部２４と、底壁部第一糊代片１５の左側端部及び底壁部第二糊代片１７の第四側壁部側１２の端部との間に差し込んで取り付けることができる。
【００４４】
例２
図２に示す実施例において、植木鉢は、底面が正方形に形成されており、その組立て部材１は、不透水性及び通気性のポリエチレンフィルムで外側が覆われており、側壁部２及び底壁部３は、共に不透水性であるが、吸水性、保水性及び空気透過性、特に酸素透過性に形成されている。
側壁部２においては、端部から例えば２ｃｍ程度内側の箇所に側壁部第一折線４が形成されており、該側壁部第一折線４に沿って折曲げられて、側壁部糊代片５が形成されており、また側壁部２には、前記側壁部第一折線４に対して、前記正方形の一辺の長さの間隔をおいて側壁部第二折線６が形成されており、該側壁部第二折線６に沿って折曲げられて、側壁部第一側部７が形成されており、さらに側壁部２には、前記側壁部第二折線６に対して前記正方形の一辺の長さの間隔で側壁部第三折線８が形成されており、該側壁部第三折線８に沿って折曲げられて、側壁部第二側部９が形成されており、さらにまた側壁部２には、前記側壁部第三折線８に対して、前記正方形の一辺の長さの間隔で側壁部第四折線１０が形成されており、該側壁部第四折線１０に沿って折曲げられて、側壁部第三側部１１及び側壁部第四側部１２が形成されている。本例において、側壁部第四側部１２の開放側端部１３は前記側壁部糊代片５とホットメルト接着剤を介して接着可能である。
【００４５】
また底壁部３においては、側壁部第一側部７の下端部には、底壁部第一折線１４が形成されており、該底壁部第一折線１４には、該底壁部第一折線１４に沿って折曲げられて形成される、前記正方形の一辺の長さの１／２より長い長さで、底壁部第一折線より下方にコの字形に突き出た凸状先端２７を有する底壁部凸状係合片２８が形成されている。また側壁部第三側部１１の下端部には、底壁部第三折線１６が形成されており、該底壁部第三折線１６には、該底壁部第三折線１６に沿って折曲げられて形成される、前記正方形の一辺の長さの１／２より長い長さで、底壁部第一折線より下方に突き出て、端部に前記底壁部凸状係合片に係合可能の上向きに窪むコの字形の凹部２９を有する底壁部凹状係合片３０が形成されている。さらにまた側壁部第二側部９の下端部には、底壁部第二折線１８が形成されており、該底壁部第二折線１８には、該底壁部第二折線１８に沿って折曲げられて、前記正方形の一辺の長さの１／２より長い長さであるが、前記底壁部凸状係合片２８及び底壁部凹状係合片３０より短い長さで、底壁部第二折線１８より下方に突き出て、前記底壁部凹状係合片３０側の傾斜した形状の側部３１が形成され、該傾斜した形状の側部３１に連続して、前記底壁部凹状係合片３０側に突き出る小片部３２を有する底壁部第一係合片３３が形成されている。さらに側壁部第四側部１２の下端部には、底壁部第四折線３４が形成されており、該底壁部第四折線３４には、該底壁部第四折線３４に沿って折曲げられて、前記正方形の一辺の長さの１／２より長い長さであるが、前記底壁部凸状係合片２８及び底壁部凹状係合片３０より短い長さで、底壁部第四折線３４より下方に突き出て、前記底壁部凹状係合片３０側の傾斜した形状の側部３５が形成され、該傾斜した形状の側部に連続して、前記底壁部凹状係合片３０側に突き出る小片部３６を有する底壁部第二係合片３７が形成されている。本例においては、前記底壁部凹状係合片３０には、２個の水抜き孔２５が、前記底壁部第三折線１６に近い左右の箇所に形成されている。
底壁部第一係合片３３の係合小片部３２及び底壁部第二係合片３７の係合小片部３６は、前記底壁部凹状係合片３０の窪みの底部３８と係合小片部３２及び３６の下に差し込まれる。係合小片部３２及び３６が差し込まれたところで、底壁部凸状係合片２８の凸状先端部２７は、底壁部凹状係合片３０の窪みの底部３８と底壁部第一係合片３３及び底壁部第二係合片３７の間に差し込まれて固定される。ここで、底壁部凸状係合片２８の凸状先端部２７及び／又は底壁部凹状係合片３０の窪みの底部３８を、夫々ホットメルト接着剤を設けて、例えば糊代部として接着可能に形成すると、組み立て時に、底壁部凸状係合片２８の凸状先端部２７は、前記底壁部凹状係合片３０の窪みの底部３８に、ホットメルト接着剤を介して接着可能である。また、本例において、底壁部凹状係合片３０の窪みの底部及び／又は底壁部第一係合片３３の係合小片部３２及び底壁部第二係合片３７の係合小片部３６を、夫々ホットメルト接着剤を設けて、例えば、糊代部として接着可能に形成すると、底壁部凹状係合片３０の窪みの底部３８と、植木鉢を組み立てるときに、底壁部第一係合片３３の係合小片部３２及び底壁部第二係合片３７の係合小片部３６を、夫々ホットメルト接着剤を介して接着可能である。
本例において、植木鉢の組立て部材の側壁部糊代片を対応する接着箇所に接着して、また、各係合片又は糊代部を、対応する固定又は接着箇所に固定又は接着して、植木鉢を形成することができる。
【００４６】
本例の植木鉢１の組立て部材は以上のように構成されているので、例えば、側壁部第一折線４、側壁部第二折線６、側壁部第三折線８及び側壁部第四折線１０の順に、各折線に沿って折曲げて、側壁部第一側部７、側壁部第二側部９、側壁部第三側部１１及び側壁部第四側部１２を形成し、側壁部糊代片５を対応する側壁部第四側部１２の端部１３にホットメルト接着させる。
底壁部第一係合片３３の係合小片部３２及び底壁部第二係合片３７の係合小片部３６を、前記底壁部凹状係合片３０の窪み２９の底部３８に差し込み、その差し込まれた係合小片３２及び３６と前記底壁部凹状係合片３０の窪み２９の底部３８の間に、底壁部凸状係合片２８の凸状先端部２７を差込み固定する。底壁部凸状係合片２８の凸状先端部２７にホットメルト接着剤が上面及び／又は下面に塗布されている場合には、前記差し込まれた係合小片３２及び３６と前記底壁部凹状係合片３０の窪みの底部３８の間に、底壁部凸状係合片２８の凸状先端部２７を差込み、夫々ホットメルト接着して、本例の植木鉢を形成する。
本例による植木鉢１については、例１の植木鉢と同様に使用できる。即ち、植木鉢の底壁部片３０の水抜き孔２５の上に虫除けの網（図示されていない）を載せ、その上に鉢用土を入れて植物栽培用の植木鉢とする。本例の植木鉢においては、側壁部２及び底壁部３は、共に、不透水性及び通気性のポリエチレンフィルムで覆われており、不透水性であるが、吸水性及び保水性を有し、且つ空気透過性、特に酸素透過性であるので、植木鉢１に植物を植えて十分に水やりをしても、鉢用土中の水は植木鉢の側壁部２及び底壁部３に吸水されて、保水される。したがって、本例の植木鉢１では、鉢用土中の水は、植木鉢１の側壁部２及び底壁部３に吸水されて、保水された状態に保たれ、一部は植木鉢１の上部から蒸発して減少する。しかし蒸発により失われた鉢用土中の水は、植木鉢１の側壁部２及び底壁部３に保水されている水分により補われて、鉢用土中の水分は著しく減少することに至らず、水やりを比較的長期間、例えば３日間停止しても、水枯れを生じることにはなかった。植木鉢の鉢用土中に可成の多量の水が存在しても、側壁部２が酸素透過性であるので、水中に空気中の酸素が吸収されて酸素が存在するので、植物の根が根腐れを起こすことはなかった。
【００４７】
例３
図３に示す実施例において、植木鉢は、その底面が長方形に形成されており、その組立て部材１は、底部がオートロック形式に形成されている。また、本例の組立て部材は、不透水性及び通気性を有するポリエチレンフィルムで外側が覆われており、側壁部２及び底壁部３は、共に不透水性であるが、吸水性及び保水性を有し，空気透過性、特に酸素透過性に形成されている。
側壁部２においては、端部から例えば２ｃｍ程度内側の箇所に側壁部第一折線４が形成されており、該側壁部第一折線４に沿って折曲げられて、側壁部糊代片５が形成されており、また側壁部２には、前記側壁部第一折線４に対して、前記長方形の長辺側の片の長さの間隔をおいて側壁部第二折線６が形成されており、該側壁部第二折線６に沿って折曲げられて、長辺側の側壁部第一側部７が形成されており、さらに側壁部２には、前記側壁部第二折線６に対して前記長方形の短辺側の辺の長さの間隔で側壁部第三折線８が形成されており、該側壁部第三折線８に沿って折曲げられて、短辺側の側壁部第二側部９が形成されており、さらにまた側壁部２には、前記側壁部第三折線８に対して、前記長方形の長辺側の辺の長さの間隔で側壁部第四折線１０が形成されており、該側壁部第四折線１０に沿って折曲げられて、長辺側の側壁部第三側部１１及び短辺側の側壁部第四側部１２が形成されている。本例において、側壁部第四側部１２の開放側端部１３は前記側壁部糊代片５とホットメルト接着剤を介して接着可能である。
【００４８】
また底壁部３においては、長辺側の側壁部第一側部７の下端部には、底壁部第一折線１４が形成されており、該底壁部第一折線１４には、該底壁部第一折線１４に沿って折曲げられて形成される、前記長方形の短辺側の辺の長さの１／２より長い長さで、底壁部第一折線より下方に突き出て、両側に共に第一底部３９に向けて内側に傾斜する傾斜部４０を有する形状で上向きに窪む第一凹部４１を有する底壁部第一凹状係合片４２が形成されている。
また側壁部第三側部１１の下端部には、底壁部第三折線１６が形成されており、該底壁部第三折線１６には、該底壁部第三折線１６に沿って折曲げられて形成される、前記長方形の短辺側の辺の長さの１／２より長い長さで、底壁部第一折線より下方に突き出て、両側に共に底部４３に向けて内側に傾斜する傾斜部４４を有する形状で上向きに窪む第二凹部４５を有する底壁部第二凹状係合片４６が形成されている。
さらにまた側壁部第二側部９の下端部には、底壁部第二折線１８が形成されており、該底壁部第二折線１８には、該底壁部第二折線１８に沿って折曲げられて、底壁部第一折線１４から前記底壁部第一凹状係合片４２の底部３９までの長さに略等しい長さで、両側側部に傾斜部４７及び４８を有する底壁部第一凸状係合片４９が形成されている。前記底壁部第一凸状係合片４９の傾斜部４７は、側壁部第二折線６と底壁部第一折線１４と底壁部第二折線１８との接点部５０と、底壁部第一凹状係合片４２の底部３９の、側壁部第二折線６側の端部５１とを結ぶ仮想線５２に重なるように形成される。本例において、前記底壁部第一凹状係合片４２の仮想線５２の外側凸部５３は糊代部とすることができ、例えばホットメルト接着剤等の水不溶性の接着剤が塗布されるなどして、組立て時又は組立てに先立って予め、前記底壁部第一凸状係合片４９の傾斜部４７に接着できるように形成される。しかし、前記底壁部第一凸状係合片４９の傾斜部４７の、前記底壁部第一凹状係合片４２の仮想線５２の外側凸部５３に接する面を、ホットメルト接着剤等の水不溶性の接着剤を塗布して糊代部に形成することができる。この場合、前記底壁部第一凹状係合片４２における仮想線５２の外側の凸部５３は、糊代部として使用できないように接着剤が塗布されないのが好ましいが、ホットメルト接着剤が塗布されて糊代部としてもよい。
さらに側壁部第四側部１２の下端部には、底壁部第四折線３４が形成されており、該底壁部第四折線３４には、該底壁部第四折線３４に沿って折曲げられて、該底壁部第二折線から前記前記底壁部第二凹状係合片４６の底部４３までの長さに略等しい長さで、両側側部に傾斜部５４及び５５を有する底壁部第二凸状係合片５６が形成されている。前記底壁部第二凸状係合片５６の傾斜部５４は、側壁部第四折線１０と底壁部第三折線１６と底壁部第四折線３４との接点部５７と、底壁部第二凹状係合片４６の第二底部４３の、側壁部第四折線１０側の端部５８とを結ぶ仮想線５９に重なるように形成される。本例において、前記底壁部第二凹状係合片４６の仮想線５９の外側凸部６０は糊代とすることができ、例えばホットメルト接着剤等の水不溶性の接着剤が塗布されるなどして、組立て時又は組立てに先立って予め、前記底壁部第二凸状係合片５６の傾斜部５４に接着できるように形成される。しかし、前記底壁部第二凸状係合片５６の傾斜部５４の前記底壁部第二凹状係合片４６の仮想線５９の外側凸部６０と接する面を、ホットメルト接着剤等の水不溶性の接着剤を塗布されるなどして糊代部に形成することができる。この場合、前記底壁部第二凹状係合片４６における仮想線５９の外側の凸部６０は、糊代として使用できないように接着剤が塗布されないのが好ましいが、ホットメルト接着剤が塗布されて糊代部としてもよい。
本例において、底壁部第一凹状係合片４２の底部３９の側壁部第一折線側の凸部６１の下面に糊代部を形成し、また、底壁部第二凹状係合片４６の底部４３の側壁部第三折線８側の凸部５２の下面に糊代部を形成することができる。
本例においては、前記底壁部第一凹状係合片４２及び前記底壁部第二凹状係合片４６には、組み立てたときにおいて、前記底壁部第一凸状係合片４９及び前記底壁部第二凸状係合片５６と重なり合わない箇所に水抜き孔２５が形成されている。
【００４９】
本例の植木鉢１の組立て部材は以上のように構成されているので、例えば、側壁部第一折線４、側壁部第二折線６、側壁部第三折線８及び側壁部第四折線１０の順に、各折線に沿って折曲げて、側壁部第一側部７、側壁部第二側部９、側壁部第三側部１１及び側壁部第四側部１２を形成し、側壁部糊代片５を対応する側壁部第四側部１２の端部１３にホットメルト接着させる。
前記底壁部第一凹状係合片４２の糊代部５３の上に底壁部第一凸状係合片４９の傾斜部４７を重ねて接着し、また、前記底壁部第二凹状係合片４６の糊代部６０の上に底壁部第二凸状係合片５６の傾斜部５４を重ねて接着し、底壁部第一凸状係合片４９の傾斜部４７が接着された第一糊代部５３の下側に底壁部第二凹状係合片４６の第四糊代部６２を位置させて接着し、他方、底壁部第一凹状係合片４２の第三糊代部６１を、底壁部第二凸状係合片５６の傾斜部５４が接着された底壁部第二凹状係合片４６の第二糊代部６０の下側に位置させて、本例の植木鉢１を形成する。本例においては、底壁部第一凹状係合片４２に第三糊代部６１を形成し、また底壁部第二凹状係合片４６に第四糊代部６２を形成するが、この糊代部６１及び６２糊代部に形成されなくても、植木鉢の底壁部を形成することができる。
本例による植木鉢１については、前記例１及び例２の植木鉢と同様に使用できる。即ち、前記植木鉢１の底壁部第一凹状係合片４２及び底壁部第二凹状係合片４６の水抜き孔２５の上に虫除けの網（図示されていない）を載せ、その上に鉢用土を入れて植物栽培用の植木鉢とする。本例の植木鉢においては、側壁部２及び底壁部３は、共に、ポリエチレンフィルムで覆われており、不透水性であるが、吸水性及び保水性を有し、且つ酸素透過性であるので、植木鉢１に植物を植えて十分に水やりをしても、鉢用土中の水は植木鉢の側壁部２及び底壁部３に吸水されて、保水される。したがって、本例の植木鉢１では、鉢用土中の水は、植木鉢１の側壁部２及び底壁部３に吸水されて、保水された状態に保たれ、一部は植木鉢１の上部から蒸発して減少する。しかし蒸発により失われた鉢用土中の水は、植木鉢１の側壁部２及び底壁部３に保水されている水分により補われて、鉢用土中の水分は著しく減少することに至らず、水やりを比較的長期間、例えば３日間停止しても、水枯れを生じることにはなかった。植木鉢の鉢用土中に可成の多量の水が存在しても、側壁部２が酸素透過性であるので、水中に空気中の酸素が吸収されて酸素が存在するので、植物の根が根腐れを起こすことはなかった。
【００５０】
例４
図４に示す実施例において、植木鉢の組立て用板部材は、逆截頭円錐形の植木鉢の例である。本例において、側壁部２は扇形に形成されており、扇形の側壁部３の下端部６３は、植木鉢１の底面を形成する円形の底壁部３の周縁に接して取り付け可能に形成されている。底壁部３には、その略全周に沿って折線部６５が形成されており、該折線部６５を介してその外側に糊代部６６が形成されている。底壁部３の周囲に形成されている糊代部６６には、切込み６７が形成されており、切込み６７で曲げられて、折線部６５に沿って湾曲させながら、底壁部３の周縁部より上方に折り曲げられて、底壁部３の周辺に立ち上げられる。側壁部２は、底壁部３の周縁に沿って湾曲させて、側壁部２の下部を底壁部３の周辺に立ち上げられている糊代部６６に接着すると共に、その側壁部２の側方端部６８を該側壁部３の他方の側方端部６９の糊代部５に接着して底壁部３に対して液蜜に固定する。このようにして、逆截頭円錐形の植木鉢を形成することができる。本例において、植木鉢１は、通気性、即ち空気透過性、特に酸素透過性を有する不透水性のポリエチレンフィルムで外側全体が覆われており、側壁部２及び底壁部３は、透水性であり、吸水性及び保水性を有し、さらに空気透過性、特に酸素透過性に形成されている。
【００５１】
例５
図５に示す実施例は、図４に示した実施例と同様に、植木鉢の組立て用板部材は、逆截頭円錐形の植木鉢の例である。本例において、側壁部２は扇形に形成されており、扇形の側壁部３の下端部６３の接続部６４には、植木鉢１の底面を形成する円形の底壁部３が、その一端部を接して設けられている。底壁部３には、その略全周に折線部６５が形成されており、該折線部６５を介して糊代部６６が形成されている。底壁部３の周囲に形成されている糊代部６６は、切込み６７で曲げられて、折線部６５に沿って湾曲させながら、底壁部３より上方に折り曲げられて、底壁部３の周辺に立ち上げられる。接続部６４で底壁部３に接続する側壁部２は、該接続部６４を中心に底壁部３の周辺に沿って湾曲させて、側壁部２の下部を糊代部６６に接着すると共に、その側壁部２の端部６８を該側壁部３の他端６９の糊代部５に接着して液蜜に固定する。このようにして、逆截頭円錐形の植木鉢を形成することができる。本例において、植木鉢１は、通気性、即ち空気透過性、特に酸素透過性を有する不透水性のポリエチレンフィルムで外側全体が覆われており、側壁部２及び底壁部３は、透水性であり、吸水性及び保水性を有すし、さらに空気透過性、特に酸素透過性に形成されている。
【００５２】
以下に、本発明の植木鉢の壁体に使用する板部材の実施例を説明する。
図１乃至５に示す実施例において使用される、植木鉢の壁体用の板部材の製造に使用される廃木材粉砕物について説明する。
例６
４ｍｍ以下の粒度の繊維状の廃木材粒子を含む廃木材粉砕物及び４ｍｍ下の粒度に粉砕されたプラスチック廃材粉砕物の混合物について
廃木材は、建築現場から集められ、１００ｍｍの大きさに裁断されいる各種廃木材が使用された。本例において、廃木材は、柱、梁、貫き等の木の廃材を破砕機で破砕して、５０乃至１００ｍｍの径の塊状物とした。破砕機で破砕された廃木材の塊状物は、第一磁選機に送られ、ここで、比較的大きな鉄片及び比較的大きい鉄片を有する廃木材の塊状物を、磁石に吸い付けて除去した。比較的大きな鉄片及び比較的大きい鉄片を有する廃木材の塊状物が除去された廃木材の塊状物は、粗粉砕機に送られ、５乃至３０ｍｍの大きさの廃木材片に粗粉砕された。この粗粉砕された５乃至３０ｍｍの大きさに廃木材片は、第二磁選機に送られ、そこで、比較的小さい鉄片及び小さな鉄片を有する廃木材片を、磁石に吸い付けて除去した。小さい鉄片及び小さな鉄片を有する廃木材片が除去された廃木材片は、解繊機に送られ、解繊されながら４ｍｍ以下の粒度の繊維状の廃木材粒子を含む廃木材粉砕物に粉砕された。解繊されて４ｍｍ以下の粒度の繊維状の廃木材粒子を含む廃木材粉砕物は、混合機のホッパーに送られた。一方、殆どがプラスチック物質である紙おむつ製造時の裁断屑を、粉砕機で粒度４ｍｍ以下に粉砕して製造された、４ｍｍ以下の粒度に粉砕されたプラスチック廃材粉砕物も、該ホッパーに送られた。そこで、該ホッパーから、４ｍｍ以下の粒度の繊維状の廃木材粒子を含む廃木材粉砕物及び４ｍｍ以下の粒度に粉砕されたプラスチック廃材粉砕物を、共に混合機に送って、４ｍｍ以下の粒度の繊維状の廃木材粒子を含む廃木材粉砕物と、４ｍｍ以下の粒度に粉砕されたプラスチック廃材粉砕物とを混合し、４ｍｍ以下の粒度の繊維状の廃木材粒子を含む廃木材粉砕物と、４ｍｍ以下の粒度に粉砕されたプラスチック廃材粉砕物の混合物を製造した。
本例においては、４ｍｍ以下の粒度の繊維状の廃木材粒子を含む廃木材粉砕物及び４ｍｍ下の粒度に粉砕されたプラスチック廃材粉砕物について説明したが、夫々、共に５ｍｍ以下の粒度、３ｍｍ以下の粒度、２ｍｍ以下の粒度のものを使用することができ、粒度は細かくなる方が好ましい結果が得られる。
本例におけるプラスチック廃材粉砕物は、紙おむつ製造時の裁断屑を粒度４ｍｍ以下に粉砕したものであり、プラスチック物質の含有量は略１００重量％であった。
【００５３】
例７
図６に示す本発明の一実施例において、板部材７０は、外側吸水紙７３の内側に吸水性混合層７５が位置し、該吸水性混合層７５の内側に内側吸水紙７６が位置して一体に形成されている。
図５に示す実施例の板部材７０は、例えば、図１乃至図４に示す植木鉢に使用することができる。例えば、図４に示す板部材の場合、植木鉢の上部内径が１１３０ｍｍで、底壁部３の内径が７２ｍｍ、側壁部２の端部６８の長さが９０ｍｍの逆截頭円錐形の植木鉢の例である。
本例において、板部材７０は、一枚以上の薄葉紙で形成されている吸水紙を外側吸水紙７３に使用して、植木鉢の底面及び外側面の外面部７１を形成すると共に、一枚以上の薄葉紙で形成されている吸水紙を内側吸水紙７６に使用して、植木鉢の内底面及び内側面の内面部７２を形成している。本例において、前記外側吸水紙層７３の上に、４ｍｍ以下の粒度に粉砕され、繊維化されて繊維状の廃木材粒子を主として含む繊維化された廃木材粉砕物８５重量％、５ｍｍ以下の粒度に粉砕されたプラスチック廃材粉砕物粒子を主として含有するプラスチック廃材粉砕物１０重量％及び吸水性樹脂５重量％の混合物７０重量部を載置して、吸水性混合層７５が形成されている。この吸水性混合層７５の上には、一枚以上の薄葉紙で形成されている吸水紙が内側吸水紙７６として載置されている。これら外側部吸水紙層７３、吸水性混合層７５及び内側吸水紙７６がこの順に重ね合わされて形成された重層物は、一体に加圧成形されて板部材７０を形成する。本例においては、加圧成形により形成された板部材７０は、加圧成形時に、その内側吸水紙７６及び外側吸水紙７３に、例えばエンボス皺（図示されていない）が形成される。吸水性混合層についての各実施例における廃木材粉砕物、プラスチック廃材粉砕物及び高吸水性樹脂の配合例を次の表１に示す。
0003813113.tif 000002
【００５４】
図６において、植木鉢本体用の板部材７０は、前記繊維化された廃木材粉砕物及びプラスチック廃材粉砕物の混合物（２５〜３０重量部）を、外側吸水紙（２．１重量部）７３の上に載置し、その上に、水５重量部を噴霧して、高吸水性樹脂（５重量部）７４を散布して、吸水性混合層７５を作製した。このように作製された吸水性混合層７５の上に内側吸水紙（２．１重量部）７６を被せ、エンボス機７７により圧縮成形し、エンボスを付けて作製された。この板部材７１を前記例１、例２、例３、例４又は例５に示した形状に裁断して、植木鉢の組立て用の植木鉢用板部材を作製した。
図６に示した板部材を使用して、例１乃至例５の植木鉢用の板部材を裁断し、例１乃至例５に対応する植木鉢を組み立てた。例１に示した形状に作製された植木鉢の組立て用板部材については、例１に従って植木鉢を作製し、例２に示した形状に作製された植木鉢の組立て用板部材については、例２に従って植木鉢を作製し、例３に示した形状に作製された植木鉢の組立て用板部材については、例３に従って植木鉢を作製し、例４に示した形状に作製された植木鉢の組立て用板部材については、例４に従って植木鉢を作製し、例５に示した形状に作製された植木鉢の組立て用板部材については、例５に従って植木鉢を作製した。
本例においては、高吸水性樹脂７４を散布する前に、水５重量部を噴霧しているが、この水の噴霧工程は省略することができる。水の噴霧工程を省略した場合は、前記廃材粉砕物の上に、高吸水性樹脂を直接散布することになる。また、外側吸水紙７３の上に吸水性混合物を配置させる前に、吸水性樹脂を、繊維化された廃木材粉砕物及びプラスチック廃材粉砕物に混合して吸水性混合物を形成することができる。
【００５５】
例８
図７は、４ｍｍ以下の粒度の廃木材粒子を主として含有する繊維化された廃木材粉砕物及び４ｍｍ以下の粒度に粉砕したプラスチック物質廃材粉砕物の混合物に吸水性樹脂を混合して形成した混合物を吸水性混合物として使用して、植木鉢用の板部材を製造する工程図である。
図７において、外側吸水紙７３は、そのロール７８から、吸水紙送り出しローラ７９により引き出されて、４ｍｍ以下の粒度の廃木材粒子を主として含有する繊維化された廃木材粉砕物及び４ｍｍ以下の粒度に粉砕したプラスチック物質廃材粉砕物の粉砕物混合物供給部８１に送られる。この粉砕物混合物供給部８１には、４ｍｍ以下の粒度に粉砕され解繊された廃木材粉砕物及び４ｍｍ以下の粒度に粉砕されたプラスチック物質含有廃材粉砕物の粗混合物８０の供給部８２及び両粉砕物の精混合機８３が備えられており、両粉砕物の粗混合物の供給部８２に供給された４ｍｍ以下の粒度に粉砕され解繊された廃木材粉砕物及び４ｍｍ以下の粒度に粉砕されたプラスチック廃材粉砕物の粗混合物８０は、精混合機８３で、４ｍｍ以下の粒度に粉砕され解繊された廃木材粉砕物と４ｍｍ以下の粒度に粉砕されたプラスチック廃材粉砕物の廃材粉砕の精混合物（以下、廃材粉砕混合物という）８４は、粉砕物供給ローラ８５から外側吸水紙７３の上に、廃材粉砕混合物８４の量が一定となるように調整されて供給される。廃材粉砕混合物８４が供給された外側吸水紙７３は、高吸水性樹脂散布箇所８６に送られ、そこで高吸水性樹脂７４が散布機８７から散布される。
【００５６】
高吸水性樹脂７４が散布された紙おむつ廃材粉砕混合物８４は、外側吸水紙７３と共に、内側吸水紙７６の供給箇所８８に送られて、内側吸水紙７６が、そのロール８９から吸水紙送り出しロール９０により引き出されて、内側吸水紙供給ロール９１から、高吸水性樹脂７４が散布された廃材粉砕混合物８４の上に供給される。外側及び内側及吸水紙７３及び７６が廃材粉砕混合物８４の上下に配置されて帯状に形成された帯状重層物は、エンボス機７７に送られてエンボスが形成されて帯状の重層吸収体が形成される。エンボスが付けられた帯状重層吸収体は、裁断機９２に送られて、所定の長さに裁断される。所定の長さに裁断された重層吸収体はダイカッター９３に送られて、図１乃至４に示した形状の何れかの形状に裁断される。ダイカッター９３で切断された製品９４は、ホットメルト接着剤を塗布する工程又は両面テープを貼着する工程（何れも図示されていない）に送られ、次いで包装機（図示されていない）により包装されて出荷される。
本例においては、高吸水性樹脂７４を散布する前に、水を噴霧していないが、水の噴霧工程を省略しない場合には、高吸水性樹脂を散布する直前の個所に設けることになる。
【００５７】
例９
図８に示す植木鉢用板部材９５は、図６に示した板部材７０の外側吸水紙７３を、不透水性であるが通気性のポリエチレン製のプラスチックフィルムで被覆して、植木鉢の外側に不透水性で且つ通気性のポリエチレンフィルム層９６を形成すると共に、板部材７０の内側吸水紙７６を透水性の不織布で被覆して、植木鉢の内側に前記透水性の不織布層９７を形成するものである。
本例の植木鉢用板部材９５は、不織布層９７で覆われた内側吸水紙７６と、不透水性であるが通気性のポリエチレン製のプラスチックフィルムで覆われた外側吸水紙７３と内側吸水紙７６の間に吸水性混合層が７５が設けられている。図８に示す植木鉢用板部材９５で作られた植木鉢は、図６に示す植木鉢用板部材７０で作った植木鉢に比して、植木の植え替え時での植木鉢の外面部７１の破損を回避することができ、比較的長期に亙って使用することができ、水やりの回数をも減らすことができる。
【００５８】
例１０
図９においては、上方に内側が示され、下方に外側が示されている。図９に示す植木鉢用の板部材９８には、外側吸水紙７３の内側に外側吸水性混合層９９が設けられ、内側吸水紙７６の外側に内側吸水性混合層１００が設けられ、外側吸水性混合層９９と内側吸水性混合層１００の間に中間吸水紙１０１が設けられている。本例の板部材９８は、中間吸水紙１０１を間にして、内側吸水性混合層１００及び外側吸水性混合層９９が設けられているので、図６に示す植木鉢用板部材に比して曲がり難くなり、図６の板部材７０で作られた植木鉢に比して、植木鉢の運搬等の移動の際に、変形が起こり難くなる。
【００５９】
例１１
図１０においても、図８及び図９と同様に、上方に内側が示され、下方に外側が示されている。図１０に示す植木鉢用の板部材１０２は、図９に示した植木鉢用板部材９８に比して、外側吸水紙７３の外側に外側吸水紙７３の外面を覆って、不透水性ではあるが通気性のプラスチックフィルム９６が設けられる点で相違する。図１０に示す板部材１０２で作った植木鉢は、図６の植木鉢用板部材７０で作られた植木鉢に比して、植木鉢の運搬等の移動の際に、変形が起こり難くなり、また、図９に示す植木鉢用板部材９８で作った植木鉢に比して、植木の植え替え時の外側吸水紙７３の破損が回避でき、比較的長期に亙って使用することができる。
【００６０】
例１２
図１１においても図８、図９及び図１０と同様に、上方に内側が示され、下方に外側が示されている。図１１に示す植木鉢用の板部材１０３は、図８に示した植木鉢用板部材９８に比して、外側吸水紙７３の外側に外側吸水紙７３の外面を覆って、不透水性ではあるが通気性のプラスチックフィルムで被覆して、植木鉢の外側に不透水性で且つ通気性のポリエチレンフィルム層９６を形成すると共に、板部材７０の内側吸水紙７６の内側を透水性の不織布で被覆して、植木鉢の内側に前記透水性の不織布層９７を形成するものである。図１１に示す植木鉢用板部材１０３で作った植木鉢は、図９の植木鉢用板部材９８で作られた植木鉢に比して、植木鉢の運搬等の移動の際に、変形が起こり難くなり、また、、植木の植え替え時の外側吸水紙７３の破損が回避できることとなって、比較的長期に亙って使用することができる。図１１に示す植木鉢用板部材１０３で作った植木鉢は、図１０に示す植木鉢用の板部材１０２で作った植木鉢に比して、植木の植え替え時の内側吸水紙７６の破損が回避でき、比較的長期に亙って使用することができる。
【００６１】
例１３
図１２は、図１１に示す例１２の植木鉢用の板部材１０３を製造する工程図である。
外側吸水紙７３は、そのロール７８から、吸水紙送り出しローラ７９により引き出されて、４ｍｍ以下の粒度の廃木材粒子を主として含有する繊維化された廃木材粉砕物及び４ｍｍ以下の粒度に粉砕したプラスチック物質廃材粉砕物の粉砕物混合物が供給される外側吸水性混合層部形成部１０４に送られる。外側吸水性混合層部形成部１０４には、４ｍｍ以下の粒度に粉砕され解繊された廃木材粉砕物及び４ｍｍ以下の粒度に粉砕されたプラスチック物質含有廃材粉砕物の粗混合物８０の供給部８２及び両粉砕物の精混合機８３が備えられており、両粉砕物の粗混合物の供給部８２に供給された４ｍｍ以下の粒度に粉砕され解繊された廃木材粉砕物及び４ｍｍ以下の粒度に粉砕されたプラスチック廃材粉砕物の粗混合物８０は、精混合機８３で、４ｍｍ以下の粒度に粉砕され解繊された廃木材粉砕物と４ｍｍ以下の粒度に粉砕されたプラスチック廃材粉砕物の廃材粉砕の精混合物（以下、廃材粉砕混合物という）８４は、粉砕物供給ローラ８５から外側吸水紙７３の上に、廃材粉砕混合物８４の量が一定となるように調整されて供給され、外側吸水性混合層部９９を形成する。外側吸水性混合層部９９が形成された外側吸水紙７３は、高吸水性樹脂散布箇所８６に送られ、そこで高吸水性樹脂７４が散布機８７から散布される。
【００６２】
外側吸水性混合層部紙９９が形成された外側吸水紙７３は、中間吸水紙１０１の供給箇所１０５に送られて、中間吸水紙１０１が、そのロール１０６から吸水紙送り出しロール１０７により引き出されて、中間吸水紙供給ロール１０８から、外側吸水性混合層９９の上に供給される。外側吸水性混合層９９の上に中間吸水紙１０１が供給された外側吸水紙７３は、第一エンボス形成圧縮機１０９に送られて、エンボスが付けられて一体に圧縮されて、下部に外側吸水紙７３を有し、上部に中間吸水紙１０１を有し、それらの間に外側吸水性混合層９９を有する中間重層物１１０（図１１参照）が形成される。この中間重層物１１０は内側吸水性混合層形成部１１１に送られる。
内側吸水性混合層形成部１１１には、４ｍｍ以下の粒度に粉砕され解繊された廃木材粉砕物及び４ｍｍ以下の粒度に粉砕されたプラスチック物質含有廃材粉砕物の粗混合物８０の供給部８２及び両粉砕物の精混合機８３が備えられており、両粉砕物の粗混合物の供給部８２に供給された４ｍｍ以下の粒度に粉砕され解繊された廃木材粉砕物及び４ｍｍ以下の粒度に粉砕されたプラスチック廃材粉砕物の粗混合物８０は、精混合機８３で、４ｍｍ以下の粒度に粉砕され解繊された廃木材粉砕物と４ｍｍ以下の粒度に粉砕されたプラスチック廃材粉砕物の廃材粉砕の精混合物（以下、廃材粉砕混合物という）８４は、粉砕物供給ローラ８５から外側吸水紙７３の上に、廃材粉砕混合物８４の量が一定となるように調整されて供給され、内側吸水性混合層１００を形成する。内側吸水性混合層１００が形成された外側吸水紙７３は、高吸水性樹脂散布箇所８６に送られ、そこで高吸水性樹脂７４が散布機８７から散布される。
【００６３】
内側吸水性混合層１００が形成された中間重層物１１０は、内側吸水紙７６の供給箇所８８に送られて、そこで、内側吸水紙７６が、そのロール８９から吸水紙送り出しロール９０により引き出されて、内側吸水紙供給ロール９１から、前記内側吸水性混合層１００の上に供給され、帯状の重層物９８る。外側及び内側及吸水紙７３及び７６が紙おむつ廃材粉砕物８４の上下に配置されて帯状に形成された帯状物は、第二エンボス形成圧縮機１１２に送られてエンボスが形成されて帯状の重層物１１３が形成される。エンボスが付けられた帯状重層物１１３は、図９に示す板部材９８であり、ダイカッター（図示されていない）により切断して板部材９８の製品とすることができる。
このように製造された板部材９８は、下方から不透水性で通気性を有するポリエチレンフィルム９６がポリエチレンフィルム９６のロール１１４から引き出されてポリエチレンフィルム供給ローラ１１５から板部材９８の下部に供給される。ポリエチレンフィルム９６上に載置された板部材９８は、加熱圧縮機（図示されていない）により加熱圧縮することができる、このようにポリエチレンフィルムが加熱圧着された帯状重層物は、図１０に示す板部材１０２であり、ダイカッター（図示されていない）により切断して板部材１０２の製品とすることができる。
【００６４】
ポリエチレンフィルム９６上に加熱圧着されて形成された板部材１０２は、透水性のポリプロピレン不織布９７を被せる箇所１１６に送られる。透水性のポリプロピレン不織布９７は、ポリプロピレン不織布のロール１１７から引き出されて送られ、途中ホットメルト接着剤が噴霧器１１８から、ポリプロピレン不織布９７の接着箇所に噴霧される。ホットメルト接着剤が噴霧されたポリプロピレン不織布９７は、板部材１０２上に供給ローラ１１９を介して供給される。ポリプロピレン不織布９７が載せられ、ポリエチレンフィルム上に加熱圧着された板部材１０２は、ヒートシール機１２０に送られて、ポリプロピレン不織布９７が加熱圧着されて、ホットメルト接着剤により接着される。ポリエチレンフィルム９６及びポリプロピレン不織布が圧着された帯状積層物は、図１１に示す板部材１０３であり、ダイカッター１２１に送られて、所定の形状及び寸法に裁断され、搬送路１２２によりに送られて、製品化される。
【００６５】
【発明の効果】
本発明の植木鉢及び蓋部は、４ｍｍ以下の粒度の繊維状の木材粒子を主として含有する廃木材粉砕物及び吸水性樹脂の混合物、又は４ｍｍ以下の粒度の繊維状の木材粒子を主として含有する廃木材粉砕物、吸水性樹脂の混合物４ｍｍ以下の粒度のプラスチック物質粒子を主として含有するプラスチック物質及び吸水性樹脂を含む混合物を含有する廃材粉砕混合物を吸水性混合物として使用し、吸水性混合物の両面に吸水紙を圧着して形成されるので、廃材の有効な利用ができ、しかも、外側に不透水性で通気性のプラスチックフィルムを取り付けるので、植木鉢及び蓋部の壁体が水を通し難いが、吸水性及び保水性に優れたものとなり、潅水されて、用土内に過剰となった水は、植木鉢の壁に、吸水及び保水され、この植木鉢の壁に吸水され保水された水は，用土が乾燥状態に至らないように用土に放水され、また、植木鉢及び蓋部の壁体が、通気性を有するので、空気を通して、酸素を溶解した水が保水されて、植木鉢内の水の腐敗を防止して、植生される植物の根腐れ等の害を少なくすることができ、一回の潅水で長時間放置することが可能となる。さらに、本発明においては、４ｍｍ以下の粒度を有する繊維状の木材粒子を主として含有する廃木材粉砕物及び吸水性樹脂を含有させて、植木鉢の吸水性混合物層を形成するので、成形性に優れ、吸水性及び保水性に優れた植木鉢本体部及び蓋部を形成することができる。
【図面の簡単な説明】
【図１】本発明の植木鉢の一実施例を示す植木鉢用板部材についての概略の展開図である。
【図２】本発明の植木鉢の他の一実施例を示す植木鉢用板部材についての概略の展開図である。
【図３】本発明の植木鉢のさらに他の一実施例を示す植木鉢用板部材についての概略の展開図である。
【図４】本発明の植木鉢の更に他の一実施例を示す植木鉢用板部材についての概略の展開図である。
【図５】図４とは異なる本発明の植木鉢の更に他の一実施例を示す植木鉢用板部材についての概略の展開図である。
【図６】図１乃至図５に示す本発明の植木鉢用板部材についての概略の側面断面図である。
【図７】図６に示す断面構造を有する本発明の植木鉢用板部材についての製造工程図である。
【図８】図１乃至図５に示す本発明の実施例についての、図６の植木鉢用板部材とは異なる断面構造の植木鉢用板部材の概略の側面断面図である。
【図９】図１乃至図５に示す本発明の実施例についての、図６及び図８の植木鉢用板部材とは異なる断面構造の植木鉢用板部材の概略の側面断面図である。
【図１０】図１乃至図５に示す本発明の実施例についての、図６、図８及び図９の植木鉢用板部材とは異なる植木鉢用板部材の断面構造の他の一例を示す概略の側面断面図である。
【図１１】図１乃至図５に示す本発明の実施例についての、図６、図８、図９及び図１０に示す植木鉢用板部材とは異なる断面構造の植木鉢用板部材の概略の側面断面図である。
【図１２】図９、図１０及び図１１に示す断面構造を有する本発明の植木鉢用板部材の製造工程図である。
【符号の説明】
１  組立て部材
２  側壁部
３  底壁部
４  側壁部第一折線
５  側壁部糊代片
６  側壁部第二折線
７  側壁部第一側部
８  側壁部第三折線
９  側壁部第二側部
１０  側壁部第四折線
１１  側壁部第三側部
１２  側壁部第四側部
１３  開放側端部
１４  底壁部第一折線
１５  底壁部第一糊代片
１６  底壁部第三折線
１７  底壁部第二糊代片
１８  底壁部第二折線
１９  底壁部片
２０  下端部の折線
２１  底壁部差込み片
２２  底壁部片１９の側部
２３  底壁部片１９の側部
２４  側壁部第四側部１２の下端部
２５  水抜き用の孔
２７  凸状先端
２８  底壁部凸状係合片
２９  コの字形の凹部
３０  底壁部凹状係合片
３１  傾斜した形状の側部
３２  底壁部凹状係合片側に突き出る小片部
３３  底壁部第一係合片
３４  底壁部第四折線
３５  傾斜した形状の側部
３６  底壁部凹状係合片側に突き出る小片部
３７  底壁部第二係合片
３８  底壁部凹状係合片の窪みの底部
３９  第一底部
４０  第一底部に向けて内側に傾斜する傾斜部
４１  第一凹部
４２  底壁部第一凹状係合片
４３  底部
４４  底部に向けて内側に傾斜する傾斜部
４５  第二凹部
４６  底壁部第二凹状係合片
４７，４８  傾斜部
４９  底壁部第一凸状係合片
５０  底壁部第三折線との接合部
５１  側壁部第二折線側の端部
５２  仮想線
５３  第一糊代部
５４，５５  傾斜部
５６  底壁部第二凸状係合片
５７  底壁部第四折線との接合部
５８  側壁部第四折線側の端部
５９  仮想線
６０  第二糊代部
６１  第三糊代部
６２  第四糊代部
６３  側壁部３の下端部
６４  側壁部３の下端部６３と底部３との接続部
６５  底壁部３の折線部
６６  底壁部３の周囲に形成される糊代部
６７  切込み
６８  側壁部３の端部
６９  側壁部３の他端
７０  板状体
７１  外面部
７２  内面部
７３  外側吸水紙
７４  高吸水性樹脂
７５  吸水性混合層
７６  内側吸水紙
７７  エンボス機
７８  ロール
７９  吸水紙送り出しローラ
８０  紙おむつ廃材
８１  粉砕物供給部
８２  紙おむつ廃材の供給部
８３  廃材粉砕機
８４  紙おむつ廃材粉砕物
８５  粉砕物供給ローラ
８６  高吸水性樹脂散布箇所
８７  散布機
８８  内側吸水紙の供給箇所
８９  ロール
９０  吸水紙送り出しロール
９１  内側吸水紙供給ロール
９２  裁断機
９３  ダイカッター
９４  製品
９５  板状体
９６  ポリエチレンフィルム層
９７  不織布層
９８  板状体
９９  外側吸水性混合層部
１００  内側吸水性混合層
１０１  中間吸水紙
１０２  板状体
１０３  板状体
１０４  外側吸水性混合層形成部
１０５  中間吸水紙の供給箇所
１０６  ロール
１０７  吸水紙送り出しロール１０７
１０８  中間吸水紙供給ロール
１０９  第一エンボス形成圧縮機
１１０  中間重層物
１１１  内側吸水性混合層形成部
１１２  第二エンボス形成圧縮機
１１３  帯状の重層物
１１４  ポリエチレンフィルムのロール
１１５  ポリエチレンフィルム供給ローラ
１１６  ポリプロピレン不織布を被せる箇所
１１７  ポリプロピレン不織布のロール
１１８  噴霧器
１１９  供給ローラ
１２０  ヒートシール機
１２１  ダイカッター
１２２  搬送路
【図１】
0003813113.tif 000003
【図２】
0003813113.tif 000004
【図３】
0003813113.tif 000005
【図４】
0003813113.tif 000006
【図５】
0003813113.tif 000007
【図６】
0003813113.tif 000008
【図７】
0003813113.tif 000009
【図８】
0003813113.tif 000010
【図９】
0003813113.tif 000011
【図１０】
0003813113.tif 000012
【図１１】
0003813113.tif 000013
【図１２】
0003813113.tif 000014